(57)【要約】【課題】  薬剤の使い切りや変更等への対応及び薬剤の供給に好適な眼用器具を提供する。【解決手段】  薬剤供給補助具１０は、装着時に上眼瞼裏側に位置し眼球に装着可能な上眼瞼装着部７２を備え、上眼瞼装着部７２には、眼球の表面上で流動する薬剤が流入可能な開口及びその薬剤を貯留可能な内空を有する貫通孔であるプール１９ａが形成されている。プール１９ａの開口は、装着時に上眼瞼結膜２６ａ及び眼球の表面が蓋となって閉鎖される。また、上眼瞼装着部７２の下辺中央には、プール１９ａから開口部に薬剤を案内する流路１７ａが面方向に形成されている。これにより、プール１９ａから開口部に又は開口部からプール１９ａに薬剤を供給することができる。【選択図】  図３
2019177107.tif 000002
【特許請求の範囲】
【請求項１】
眼に装着可能な眼用器具であって、
薬剤が流入可能な開口及び当該薬剤を貯留可能な領域を有するプールと、
前記プールと所定領域との間で薬剤を案内する流路とが形成されていることを特徴とする眼用器具。
【請求項２】
請求項１において、
前記プールは、薬剤が流入可能な開口及び当該薬剤を貯留可能な内空を有する孔であることを特徴とする眼用器具。
【請求項３】
眼に装着可能な眼用器具であって、
薬剤が挿入可能な開口並びに当該薬剤を設置及び貯留可能な領域を有するプールと、
前記プールと所定領域との間で薬剤を案内する流路とが形成されていることを特徴とする眼用器具。
【請求項４】
請求項３において、
前記プールは、薬剤が挿入可能な開口並びに当該薬剤を設置及び貯留可能な内空を有する孔であることを特徴とする眼用器具。
【請求項５】
眼に装着可能な眼用器具であって、
装着により眼瞼結膜円蓋部との間で薬剤を貯留可能なプールが区画されるようになっており、
前記プールと所定領域との間で薬剤を案内する流路が形成されていることを特徴とする眼用器具。
【請求項６】
請求項１乃至５のいずれか１項において、
薬剤が流入可能な開口及び当該薬剤を貯留可能な領域を有する第２プールが形成され、
前記所定領域は、前記第２プールであることを特徴とする眼用器具。
【請求項７】
請求項１乃至５のいずれか１項において、
薬剤が挿入可能な開口並びに当該薬剤を設置及び貯留可能な領域を有する第２プールが形成され、
前記所定領域は、前記第２プールであることを特徴とする眼用器具。
【請求項８】
請求項１乃至５のいずれか１項において、
装着により眼瞼結膜円蓋部との間で薬剤を貯留可能な第２プールが区画されるようになっており、
前記所定領域は、前記第２プールであることを特徴とする眼用器具。
【請求項９】
請求項６乃至８のいずれか１項において、
前記第２プールは、前記プールの下方に位置することを特徴とする眼用器具。
【請求項１０】
請求項６乃至９のいずれか１項において、
前記プールは下眼瞼裏側に、前記第２プールは前記プールの上方にそれぞれ位置することを特徴とする眼用器具。
【請求項１１】
請求項１乃至５のいずれか１項において、
第２領域を開口する第２孔が形成され、
前記所定領域は、前記第２孔であることを特徴とする眼用器具。
【請求項１２】
請求項１１において、
前記第２孔は、瞳孔領域を開口する孔であることを特徴とする眼用器具。
【請求項１３】
請求項１２において、
前記第２孔は、角膜領域を開口する孔であることを特徴とする眼用器具。
【請求項１４】
請求項１１乃至１３のいずれか１項において、
前記第２孔は、前記プールの下方に位置することを特徴とする眼用器具。
【請求項１５】
請求項１１乃至１４のいずれか１項において、
前記プールは下眼瞼裏側に、前記第２孔は前記プールの上方にそれぞれ位置することを特徴とする眼用器具。
【請求項１６】
請求項１乃至５のいずれか１項において、
前記所定領域は、装着時に角膜に臨む当該眼用器具の外縁であることを特徴とする眼用器具。
【請求項１７】
請求項１乃至５のいずれか１項において、
前記所定領域は、装着時に眼瞼結膜円蓋部に臨む当該眼用器具の外縁であることを特徴とする眼用器具。
【請求項１８】
眼に装着可能な眼用器具であって、
眼球の表面上で流動する薬剤を面方向に案内する流路が形成されていることを特徴とする眼用器具。
【請求項１９】
請求項１８において、
前記流路は、薬剤を所定領域に案内する流路であることを特徴とする眼用器具。
【請求項２０】
請求項１９において、
前記所定領域は、薬剤を貯留可能なプール、第２領域を開口する孔又は当該眼用器具の外部であることを特徴とする眼用器具。
【請求項２１】
請求項１乃至１７及び２０のいずれか１項において、
装着時に眼瞼結膜又は眼球の表面が蓋となって前記プールが閉鎖されることを特徴とする眼用器具。
【請求項２２】
請求項１乃至１７及び２０のいずれか１項において、
第１挟持体及び第２挟持体で挟持され、
前記第１挟持体又は前記第２挟持体が蓋となって前記プールが閉鎖されることを特徴とする眼用器具。
【請求項２３】
眼に装着可能な眼用器具と、装着手段を有する薬剤とを備え、前記装着手段が前記眼用器具に装着して前記薬剤が前記眼用器具に装着される薬剤供給眼用器具であって、
前記眼用器具は、前記装着手段が装着可能な領域を有し、
前記薬剤が流入可能な開口及び当該薬剤を貯留可能な領域を有するプールと、
前記プールと所定領域との間で薬剤を案内する流路とが形成されていることを特徴とする薬剤供給眼用器具。
【請求項２４】
眼に装着可能な眼用器具と、装着手段を有する薬剤とを備え、前記装着手段が前記眼用器具に装着して前記薬剤が前記眼用器具に装着される薬剤供給眼用器具であって、
前記眼用器具は、前記薬剤が挿入可能な開口及び前記装着手段が装着可能で且つ前記薬剤が貯留可能な領域を有するプールと、
前記プールと所定領域との間で薬剤を案内する流路とが形成されていることを特徴とする薬剤供給眼用器具。
【請求項２５】
眼に装着可能な眼用器具と、装着手段を有する薬剤とを備え、前記装着手段が前記眼用器具に装着して前記薬剤が前記眼用器具に装着される薬剤供給眼用器具であって、
前記眼用器具は、前記装着手段が装着可能な領域を有し、
装着により眼瞼結膜円蓋部との間で薬剤を貯留可能なプールが区画されるようになっており、
前記プールと所定領域との間で薬剤を案内する流路が形成されていることを特徴とする薬剤供給眼用器具。
【請求項２６】
眼に装着可能な眼用器具と、装着手段を有する薬剤とを備え、前記装着手段が前記眼用器具に装着して前記薬剤が前記眼用器具に装着される薬剤供給眼用器具であって、
前記眼用器具は、前記装着手段が装着可能な領域を有し、眼球の表面上で流動する前記薬剤を面方向に案内する流路が形成されていることを特徴とする薬剤供給眼用器具。
【請求項２７】
請求項２３乃至２６のいずれか１項において、
前記装着手段は、被装着対象に吸着する吸着手段であることを特徴とする薬剤供給眼用器具。
【請求項２８】
請求項２３記載の薬剤供給眼用器具における前記薬剤を装着可能で且つ眼に装着可能な眼用器具であって、
前記装着手段が装着可能な領域を有し、
前記薬剤が流入可能な開口及び当該薬剤を貯留可能な領域を有するプールと、
前記プールと所定領域との間で薬剤を案内する流路とが形成されていることを特徴とする眼用器具。
【請求項２９】
請求項２４記載の薬剤供給眼用器具における前記薬剤を装着可能で且つ眼に装着可能な眼用器具であって、
前記薬剤が挿入可能な開口及び前記装着手段が装着可能で且つ前記薬剤が貯留可能な領域を有するプールと、
前記プールと所定領域との間で薬剤を案内する流路とが形成されていることを特徴とする眼用器具。
【請求項３０】
請求項２５記載の薬剤供給眼用器具における前記薬剤を装着可能で且つ眼に装着可能な眼用器具であって、
前記装着手段が装着可能な領域を有し、
装着により眼瞼結膜円蓋部との間で薬剤を貯留可能なプールが区画されるようになっており、
前記プールと所定領域との間で薬剤を案内する流路が形成されていることを特徴とする眼用器具。
【請求項３１】
請求項２６記載の薬剤供給眼用器具における前記薬剤を装着可能で且つ眼に装着可能な眼用器具であって、
前記装着手段が装着可能な領域を有し、眼球の表面上で流動する前記薬剤を面方向に案内する流路が形成されていることを特徴とする眼用器具。
【請求項３２】
眼に装着可能な眼用装着物であって、
薬剤が流入可能な開口及び当該薬剤を貯留可能な領域を有するプールと、
前記プールと所定領域との間で薬剤を案内する流路とが形成されていることを特徴とする眼用装着物。
【請求項３３】
眼に装着可能な眼用装着物であって、
薬剤が挿入可能な開口並びに当該薬剤を設置及び貯留可能な領域を有するプールと、
前記プールと所定領域との間で薬剤を案内する流路とが形成されていることを特徴とする眼用装着物。
【請求項３４】
眼に装着可能な眼用装着物であって、
装着により眼瞼結膜円蓋部との間で薬剤を貯留可能なプールが区画されるようになっており、
前記プールと所定領域との間で薬剤を案内する流路が形成されていることを特徴とする眼用装着物。
【請求項３５】
眼に装着可能な眼用装着物であって、
眼球の表面上で流動する薬剤を面方向に案内する流路が形成されていることを特徴とする眼用装着物。
【請求項３６】
眼に装着可能な眼用装着物であって、
面方向に隘路が形成されていることを特徴とする眼用装着物。
【発明の詳細な説明】
【技術分野】
【０００１】
本発明は、眼用器具、薬剤供給眼用器具及び眼用装着物に係り、特に、薬剤の使い切りや変更等への対応及び薬剤の供給に好適な眼用器具、薬剤供給眼用器具及び眼用装着物に関する。
【背景技術】
【０００２】
従来、例えば、特許文献１、２記載のコンタクトレンズ及び特許文献３記載の眼用器具が知られている。
【０００３】
特許文献１記載のコンタクトレンズは、原料樹脂内に薬剤を混入したコンタクトレンズであって、装用すると眼に薬用効果を与えるものである。
【０００４】
特許文献２記載のコンタクトレンズは、薬剤を充填した小空間を２枚のコンタクトレンズの間に形成し、小空間から外部に薬剤の成分を通過させるための孔を内面側のコンタクトレンズに形成したものである。
【０００５】
特許文献３記載の眼用器具は、薬剤を眼の構造に対して適所に保持する骨格として機能する第１の構造物を備え、第１の構造物である芯材３２の周縁に薬剤３１を形成したものである（同文献〔００１６〕〔００１７〕及び図２−２、図２−３）。同文献図４−２の構造も同様に、第１の構造物である芯材５０、５２の周縁に薬剤を形成したものである。
【先行技術文献】
【特許文献】
【０００６】
【特許文献１】特公昭４８−９９９１号公報
【特許文献２】米国特許出願公開第２００６／０２９０８８２号明細書
【特許文献３】特表２０１２−５２８６９５号公報
【発明の概要】
【発明が解決しようとする課題】
【０００７】
しかしながら、特許文献１記載のコンタクトレンズにあっては、薬剤を使い切った場合は、コンタクトレンズとしての光学的な機能が損なわれていないのに交換を余儀なくされることがある。また、他の薬剤を用いたい場合も、他の薬剤を混入した新たなコンタクトレンズを用意しなければならない。
【０００８】
特許文献２記載のコンタクトレンズにあっては、小空間に薬剤を充填したものであるので、薬剤を使い切った場合や他の薬剤を用いたい場合は、特許文献１記載のコンタクトレンズと同様の問題があった。
【０００９】
特許文献３記載の眼用器具にあっては、芯材の周縁に薬剤を形成したものであるので、薬剤を使い切った場合や他の薬剤を用いたい場合は、特許文献１記載のコンタクトレンズと同様の問題があった。
【００１０】
一方、単に点眼するのでは、薬剤が涙点から排出されやすく、結膜や角膜等の部位に薬剤を効果的に供給することができない。
【００１１】
そこで、本発明は、このような従来の技術の有する未解決の課題に着目してなされたものであって、薬剤の使い切りや変更等への対応及び薬剤の供給に好適な眼用器具、薬剤供給眼用器具及び眼用装着物を提供することを目的としている。
【課題を解決するための手段】
【００１２】
〔発明１〕  上記目的を達成するために、発明１の眼用器具は、眼に装着可能な眼用器具であって、薬剤が流入可能な開口及び当該薬剤を貯留可能な領域を有するプールと、前記プールと所定領域との間で薬剤を案内する流路とが形成されている。
【００１３】
このような構成であれば、例えば点眼薬を点眼すると、薬剤が開口から流入し、プールに貯留される。貯留された薬剤は、時間をかけて結膜や角膜等の部位にその成分が供給される。また、流路を通じてプールと所定領域との間で薬剤が案内される。
【００１４】
ここで、眼用器具を眼に装着する態様としては、眼用器具を眼に直接装着すること、眼との間に１又は複数の媒体（例えば、部材）を介在させて眼用器具を眼に間接的に装着することが含まれる。以下、発明３、５、１８、２８乃至３１の眼用器具、並びに発明２３乃至２６の薬剤供給眼用器具において同じである。
【００１５】
また、眼用器具は、人又は動物の眼球に装着可能な器具として、より具体的には、眼球に形状適合性を有する曲面状又は眼球の表面形状に沿った球面形状の器具として構成することができる。以下、発明３、５、１８、２８乃至３１の眼用器具、並びに発明２３乃至２６の薬剤供給眼用器具において同じである。
【００１６】
また、眼用器具としては、例えば、眼用デバイス、薬剤供給補助具及び矯正具が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。以下、発明３、５、１８、２８乃至３１の眼用器具、並びに発明２３乃至２６の薬剤供給眼用器具において同じである。
【００１７】
〔発明２〕  さらに、発明２の眼用器具は、発明１の眼用器具において、前記プールは、薬剤が流入可能な開口及び当該薬剤を貯留可能な内空を有する孔である。
【００１８】
〔発明３〕  さらに、発明３の眼用器具は、眼に装着可能な眼用器具であって、薬剤が挿入可能な開口並びに当該薬剤を設置及び貯留可能な領域を有するプールと、前記プールと所定領域との間で薬剤を案内する流路とが形成されている。
【００１９】
このような構成であれば、例えば軟膏薬をプールに塗布すると、プールに薬剤が貯留される。貯留された薬剤は、時間をかけて結膜や角膜等の部位にその成分が供給される。また、流路を通じてプールと所定領域との間で薬剤が案内される。
【００２０】
〔発明４〕  さらに、発明４の眼用器具は、発明３の眼用器具において、前記プールは、薬剤が挿入可能な開口並びに当該薬剤を設置及び貯留可能な内空を有する孔である。
【００２１】
〔発明５〕  さらに、発明５の眼用器具は、眼に装着可能な眼用器具であって、装着により眼瞼結膜円蓋部との間で薬剤を貯留可能なプールが区画されるようになっており、前記プールと所定領域との間で薬剤を案内する流路が形成されている。
【００２２】
このような構成であれば、例えば点眼薬を点眼すると、眼瞼結膜円蓋部との間で区画されるプールに薬剤が貯留される。貯留された薬剤は、時間をかけて結膜や角膜等の部位にその成分が供給される。また、流路を通じてプールと所定領域との間で薬剤が案内される。
【００２３】
〔発明６〕  さらに、発明６の眼用器具は、発明１乃至５のいずれか１の眼用器具において、薬剤が流入可能な開口及び当該薬剤を貯留可能な領域を有する第２プールが形成され、前記所定領域は、前記第２プールである。
【００２４】
このような構成であれば、流路を通じてプールと第２プールとの間で薬剤が案内される。
【００２５】
〔発明７〕  さらに、発明７の眼用器具は、発明１乃至５のいずれか１の眼用器具において、薬剤が挿入可能な開口並びに当該薬剤を設置及び貯留可能な領域を有する第２プールが形成され、前記所定領域は、前記第２プールである。
【００２６】
このような構成であれば、流路を通じてプールと第２プールとの間で薬剤が案内される。
【００２７】
〔発明８〕  さらに、発明８の眼用器具は、発明１乃至５のいずれか１の眼用器具において、装着により眼瞼結膜円蓋部との間で薬剤を貯留可能な第２プールが区画されるようになっており、前記所定領域は、前記第２プールである。
【００２８】
このような構成であれば、流路を通じてプールと第２プールとの間で薬剤が案内される。
【００２９】
〔発明９〕  さらに、発明９の眼用器具は、発明６乃至８のいずれか１の眼用器具において、前記第２プールは、前記プールの下方に位置する。
【００３０】
〔発明１０〕  さらに、発明１０の眼用器具は、発明６乃至９のいずれか１の眼用器具において、前記プールは下眼瞼裏側に、前記第２プールは前記プールの上方にそれぞれ位置する。
【００３１】
〔発明１１〕  さらに、発明１１の眼用器具は、発明１乃至５のいずれか１の眼用器具において、第２領域を開口する第２孔が形成され、前記所定領域は、前記第２孔である。
【００３２】
このような構成であれば、流路を通じてプールと第２孔との間で薬剤が案内される。
〔発明１２〕  さらに、発明１２の眼用器具は、発明１１の眼用器具において、前記第２孔は、瞳孔領域を開口する孔である。
【００３３】
〔発明１３〕  さらに、発明１３の眼用器具は、発明１２の眼用器具において、前記第２孔は、角膜領域を開口する孔である。
【００３４】
〔発明１４〕  さらに、発明１４の眼用器具は、発明１１乃至１３のいずれか１の眼用器具において、前記第２孔は、前記プールの下方に位置する。
【００３５】
〔発明１５〕  さらに、発明１５の眼用器具は、発明１１乃至１４のいずれか１の眼用器具において、前記プールは下眼瞼裏側に、前記第２孔は前記プールの上方にそれぞれ位置する。
【００３６】
〔発明１６〕  さらに、発明１６の眼用器具は、発明１乃至５のいずれか１の眼用器具において、前記所定領域は、装着時に角膜に臨む当該眼用器具の外縁である。
【００３７】
〔発明１７〕  さらに、発明１７の眼用器具は、発明１乃至５のいずれか１の眼用器具において、前記所定領域は、装着時に眼瞼結膜円蓋部に臨む当該眼用器具の外縁である。
【００３８】
〔発明１８〕  さらに、発明１８の眼用器具は、眼に装着可能な眼用器具であって、眼球の表面上で流動する薬剤を面方向に案内する流路が形成されている。
【００３９】
このような構成であれば、例えば点眼薬を点眼すると、眼球の表面上で流動する薬剤が流路を通じて面方向に案内される。
【００４０】
〔発明１９〕  さらに、発明１９の眼用器具は、発明１８の眼用器具において、前記流路は、薬剤を所定領域に案内する流路である。
【００４１】
このような構成であれば、眼球の表面上で流動する薬剤が流路を通じて所定領域に案内される。
【００４２】
〔発明２０〕  さらに、発明２０の眼用器具は、発明１９の眼用器具において、前記所定領域は、薬剤を貯留可能なプール、第２領域を開口する孔又は当該眼用器具の外部である。
【００４３】
このような構成であれば、眼球の表面上で流動する薬剤が流路を通じてプール等に案内される。
【００４４】
〔発明２１〕  さらに、発明２１の眼用器具は、発明１乃至１７及び２０のいずれか１の眼用器具において、装着時に眼瞼結膜又は眼球の表面が蓋となって前記プールが閉鎖される。
【００４５】
このような構成であれば、眼瞼結膜又は眼球の表面が蓋となってプールが閉鎖され、プールに薬剤が貯留される。
【００４６】
〔発明２２〕  さらに、発明２２の眼用器具は、発明１乃至１７及び２０のいずれか１の眼用器具において、第１挟持体及び第２挟持体で挟持され、前記第１挟持体又は前記第２挟持体が蓋となって前記プールが閉鎖される。
【００４７】
このような構成であれば、第１挟持体又は第２挟持体が蓋となってプールが閉鎖され、プールに薬剤が貯留される。
【００４８】
〔発明２３〕  一方、上記目的を達成するために、発明２３の薬剤供給眼用器具は、眼に装着可能な眼用器具と、装着手段を有する薬剤とを備え、前記装着手段が前記眼用器具に装着して前記薬剤が前記眼用器具に装着される薬剤供給眼用器具であって、前記眼用器具は、前記装着手段が装着可能な領域を有し、前記薬剤が流入可能な開口及び当該薬剤を貯留可能な領域を有するプールと、前記プールと所定領域との間で薬剤を案内する流路とが形成されている。
【００４９】
このような構成であれば、装着手段が眼用器具に装着し、薬剤が眼用器具に装着される。装着された薬剤が溶け出すと、薬剤が開口から流入し、プールに貯留される。貯留された薬剤は、時間をかけて結膜や角膜等の部位にその成分が供給される。また、流路を通じてプールと所定領域との間で薬剤が案内される。
【００５０】
ここで、装着手段としては、例えば、眼用器具及び薬剤の一方（薬剤）に装着のための構成（例えば、吸盤構造）を設け、薬剤の当該構成が眼用器具に装着する構成として実現する場合、眼用器具及び薬剤の両方に装着のための構成（例えば、吸盤構造）を設け、それぞれが雄及び雌のように対応して装着する構成として実現する場合が含まれる。後者の場合は、薬剤に設けた装着のための構成が装着手段に対応する。以下、発明２４乃至２６の薬剤供給眼用器具において同じである。
【００５１】
〔発明２４〕  さらに、発明２４の薬剤供給眼用器具は、眼に装着可能な眼用器具と、装着手段を有する薬剤とを備え、前記装着手段が前記眼用器具に装着して前記薬剤が前記眼用器具に装着される薬剤供給眼用器具であって、前記眼用器具は、前記薬剤が挿入可能な開口及び前記装着手段が装着可能で且つ前記薬剤が貯留可能な領域を有するプールと、前記プールと所定領域との間で薬剤を案内する流路とが形成されている。
【００５２】
このような構成であれば、薬剤を開口から挿入して装着手段がプールに装着し、薬剤が装着される。装着された薬剤が溶け出すと、プールに薬剤が貯留される。貯留された薬剤は、時間をかけて結膜や角膜等の部位にその成分が供給される。また、流路を通じてプールと所定領域との間で薬剤が案内される。
【００５３】
〔発明２５〕  さらに、発明２５の薬剤供給眼用器具は、眼に装着可能な眼用器具と、装着手段を有する薬剤とを備え、前記装着手段が前記眼用器具に装着して前記薬剤が前記眼用器具に装着される薬剤供給眼用器具であって、前記眼用器具は、前記装着手段が装着可能な領域を有し、装着により眼瞼結膜円蓋部との間で薬剤を貯留可能なプールが区画されるようになっており、前記プールと所定領域との間で薬剤を案内する流路が形成されている。
【００５４】
このような構成であれば、装着手段が眼用器具に装着し、薬剤が眼用器具に装着される。装着された薬剤が溶け出すと、眼瞼結膜円蓋部との間で区画されるプールに薬剤が貯留される。貯留された薬剤は、時間をかけて結膜や角膜等の部位にその成分が供給される。また、流路を通じてプールと所定領域との間で薬剤が案内される。
【００５５】
〔発明２６〕  さらに、発明２６の薬剤供給眼用器具は、眼に装着可能な眼用器具と、装着手段を有する薬剤とを備え、前記装着手段が前記眼用器具に装着して前記薬剤が前記眼用器具に装着される薬剤供給眼用器具であって、前記眼用器具は、前記装着手段が装着可能な領域を有し、眼球の表面上で流動する前記薬剤を面方向に案内する流路が形成されている。
【００５６】
このような構成であれば、装着手段が眼用器具に装着し、薬剤が眼用器具に装着される。装着された薬剤が溶け出すと、眼球の表面上で流動する薬剤が流路を通じて面方向に案内される。
【００５７】
〔発明２７〕  さらに、発明２７の薬剤供給眼用器具は、発明２３乃至２６のいずれか１の薬剤供給眼用器具において、前記装着手段は、被装着対象に吸着する吸着手段である。
【００５８】
このような構成であれば、吸着手段が眼用器具又はプールに吸着し、薬剤が装着される。
【００５９】
ここで、吸着とは、吸いつくことをいい、例えば、吸着箇所が外界よりも陰圧となって吸いつくことが含まれる。以下、吸着の概念については同じである。
【００６０】
また、吸着手段としては、例えば、眼用器具及び薬剤の一方（薬剤）に吸着のための構成（例えば、吸盤構造）を設け、薬剤の当該構成が眼用器具に吸着する構成として実現する場合、眼用器具及び薬剤の両方に吸着のための構成（例えば、吸盤構造）を設け、それぞれが雄及び雌のように対応して吸着する構成として実現する場合が含まれる。後者の場合は、薬剤に設けた吸着のための構成が吸着手段に対応する。
【００６１】
〔発明２８〕  一方、上記目的を達成するために、発明２８の眼用器具は、発明２３の薬剤供給眼用器具における前記薬剤を装着可能で且つ眼に装着可能な眼用器具であって、前記装着手段が装着可能な領域を有し、前記薬剤が流入可能な開口及び当該薬剤を貯留可能な領域を有するプールと、前記プールと所定領域との間で薬剤を案内する流路とが形成されている。
【００６２】
〔発明２９〕  さらに、発明２９の眼用器具は、発明２４の薬剤供給眼用器具における前記薬剤を装着可能で且つ眼に装着可能な眼用器具であって、前記薬剤が挿入可能な開口及び前記装着手段が装着可能で且つ前記薬剤が貯留可能な領域を有するプールと、前記プールと所定領域との間で薬剤を案内する流路とが形成されている。
【００６３】
〔発明３０〕  さらに、発明３０の眼用器具は、発明２５の薬剤供給眼用器具における前記薬剤を装着可能で且つ眼に装着可能な眼用器具であって、前記装着手段が装着可能な領域を有し、装着により眼瞼結膜円蓋部との間で薬剤を貯留可能なプールが区画されるようになっており、前記プールと所定領域との間で薬剤を案内する流路が形成されている。
【００６４】
〔発明３１〕  さらに、発明３１の眼用器具は、発明２６の薬剤供給眼用器具における前記薬剤を装着可能で且つ眼に装着可能な眼用器具であって、前記装着手段が装着可能な領域を有し、眼球の表面上で流動する前記薬剤を面方向に案内する流路が形成されている。
【００６５】
〔発明３２〕  一方、上記目的を達成するために、発明３２の眼用装着物は、眼に装着可能な眼用装着物であって、薬剤が流入可能な開口及び当該薬剤を貯留可能な領域を有するプールと、前記プールと所定領域との間で薬剤を案内する流路とが形成されている。
【００６６】
ここで、眼用装着物を眼に装着する態様としては、眼用装着物を眼に直接装着すること、眼との間に１又は複数の媒体（例えば、部材）を介在させて眼用装着物を眼に間接的に装着することが含まれる。以下、発明３３乃至３６の眼用装着物において同じである。
【００６７】
また、眼用装着物は、人又は動物の眼球に装着可能な物として、より具体的には、眼球に形状適合性を有する曲面状又は眼球の表面形状に沿った球面形状の物として構成することができる。以下、発明３３乃至３６の眼用装着物において同じである。
【００６８】
また、眼用装着物としては、例えば、眼用デバイス、薬剤供給補助具、矯正具、薬剤、サプリメント及び磁性流体が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。以下、発明３３乃至３６の眼用装着物において同じである。
【００６９】
〔発明３３〕  さらに、発明３３の眼用装着物は、眼に装着可能な眼用装着物であって、薬剤が挿入可能な開口並びに当該薬剤を設置及び貯留可能な領域を有するプールと、前記プールと所定領域との間で薬剤を案内する流路とが形成されている。
【００７０】
〔発明３４〕  さらに、発明３４の眼用装着物は、眼に装着可能な眼用装着物であって、装着により眼瞼結膜円蓋部との間で薬剤を貯留可能なプールが区画されるようになっており、前記プールと所定領域との間で薬剤を案内する流路が形成されている。
【００７１】
〔発明３５〕  さらに、発明３５の眼用装着物は、眼に装着可能な眼用装着物であって、眼球の表面上で流動する薬剤を面方向に案内する流路が形成されている。
【００７２】
〔発明３６〕  さらに、発明３６の眼用装着物は、眼に装着可能な眼用装着物であって、面方向に隘路が形成されている。
【発明の効果】
【００７３】
以上説明したように、発明１、３、５、２８乃至３０の眼用器具、又は発明２３乃至２５の薬剤供給眼用器具によれば、薬剤と眼用器具との組み合わせを選択又は変更等することができるので、従来に比して、薬剤の使い切りや変更等への対応が容易となる。また、プールに貯留された薬剤が時間をかけて供給されるので、長時間にわたって薬剤を供給することができる。さらに、プールと所定領域との間で薬剤を案内する流路が形成されているので、プールから所定領域に又は所定領域からプールに薬剤を供給することができる。
【００７４】
さらに、発明６乃至８の眼用器具によれば、プールと第２プールとの間で薬剤を案内する流路が形成されているので、プールから第２プールに又は第２プールからプールに薬剤を供給することができる。
【００７５】
さらに、発明９の眼用器具によれば、重力等によりプールから下方の第２プールに薬剤が案内されるので、第２プールに薬剤を供給しやすい。
【００７６】
さらに、発明１０の眼用器具によれば、重力により及び瞬目の影響が少ないことにより下眼瞼側の方が上眼瞼側よりも薬剤が滞留しやすいので、下眼瞼裏側に位置するプールに薬剤が貯留されやすい。また、プールに貯留された薬剤を第２プールに供給することができる。
【００７７】
さらに、発明１１の眼用器具によれば、プールと第２孔との間で薬剤を案内する流路が形成されているので、プールから第２孔に又は第２孔からプールに薬剤を供給することができる。
【００７８】
さらに、発明１２の眼用器具によれば、瞳孔領域を開口する孔が形成されているので、瞳孔への光学的干渉が生じる可能性又は度合いを低減することができる。
【００７９】
さらに、発明１３の眼用器具によれば、角膜領域を開口する孔が形成されているので、角膜への干渉が生じる可能性又は度合いを低減することができる。
【００８０】
さらに、発明１４の眼用器具によれば、重力等によりプールから下方の第２孔に薬剤が案内されるので、第２孔に薬剤を供給しやすい。
【００８１】
さらに、発明１５の眼用器具によれば、重力により及び瞬目の影響が少ないことにより下眼瞼側の方が上眼瞼側よりも薬剤が滞留しやすいので、下眼瞼裏側に位置するプールに薬剤が貯留されやすい。また、プールに貯留された薬剤を第２孔に供給することができる。
【００８２】
さらに、発明１６の眼用器具によれば、角膜に臨む外縁とプールとの間で薬剤を案内する流路が形成されているので、プールから角膜の側に又は角膜の側からプールに薬剤を供給することができる。
【００８３】
さらに、発明１７の眼用器具によれば、眼瞼結膜円蓋部に臨む外縁とプールとの間で薬剤を案内する流路が形成されているので、プールから眼瞼結膜円蓋部の側に又は眼瞼結膜円蓋部の側からプールに薬剤を供給することができる。
【００８４】
さらに、発明１８若しくは３１の眼用器具、発明２６の薬剤供給眼用器具、又は発明３５の眼用装着物によれば、眼球の表面上で流動する薬剤が流路を通じて面方向に案内されるので、薬剤を面方向に供給することができる。
【００８５】
さらに、発明１９の眼用器具によれば、薬剤を所定領域に案内する流路が形成されているので、所定領域に又は所定領域から薬剤を供給することができる。
【００８６】
さらに、発明２０の眼用器具によれば、薬剤をプール等に案内する流路が形成されているので、プール等に又はプール等から薬剤を供給することができる。
【００８７】
さらに、発明２１の眼用器具によれば、眼瞼結膜又は眼球の表面が蓋となってプールが閉鎖されるので、薬剤が貯留されやすい。
【００８８】
さらに、発明２２の眼用器具によれば、第１挟持体又は第２挟持体が蓋となってプールが閉鎖されるので、薬剤が貯留されやすい。
【００８９】
さらに、発明２７の薬剤供給眼用器具によれば、吸着手段により薬剤が眼用器具に装着されるので、薬剤と眼用器具との組み合わせを選択又は変更等することができる。
【００９０】
一方、発明３２乃至３４の眼用装着物によれば、プールに貯留された薬剤が時間をかけて供給されるので、長時間にわたって薬剤を供給することができる。また、プールと所定領域との間で薬剤を案内する流路が形成されているので、プールから所定領域に又は所定領域からプールに薬剤を供給することができる。
【００９１】
さらに、発明３６の眼用装着物によれば、例えば、隘路を通じて薬剤を面方向に案内したり、電子デバイスの配線等を隘路に収容したりすることができるなどの効果が得られる。
【図面の簡単な説明】
【００９２】
【図１】薬剤供給補助具１０の正面図である。
【図２】上眼瞼装着部７２の拡大図であり、流路１７ａの構造を示す図である。
【図３】薬剤供給補助具１０の使用方法を説明するための図であり、（ａ）は眼２０の正面図、（ｂ）は眼２０の縦断面図である。
【図４】薬剤供給補助具１０の正面図である。
【図５】薬剤供給補助具１０の使用方法を説明するための図であり、（ａ）は眼２０の正面図、（ｂ）は眼２０の縦断面図である。
【図６】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図７】薬剤供給補助具１０の使用方法を説明するための図であり、（ａ）は眼２０の正面図、（ｂ）は眼２０の縦断面図である。
【図８】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図９】薬剤供給補助具１０の使用方法を説明するための図であり、（ａ）は眼２０の正面図、（ｂ）は眼２０の縦断面図である。
【図１０】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図１１】薬剤供給補助具１０の使用方法を説明するための図であり、（ａ）は眼２０の正面図、（ｂ）は眼２０の縦断面図である。
【図１２】薬剤供給補助具１０の外観形状を示す図であり、（ａ）は薬剤供給補助具１０の正面図、（ｂ）は正面からみた薬剤供給補助具１０の斜視図である。
【図１３】薬剤供給補助具１０の外観形状を示す図であり、（ａ）は薬剤供給補助具１０の側面図、（ｂ）は背面からみた薬剤供給補助具１０の斜視図である。
【図１４】薬剤供給補助具１０の使用方法を説明するための図であり、（ａ）は眼２０の正面図、（ｂ）は眼２０の縦断面図である。
【図１５】薬剤供給補助具１０の正面図である。
【図１６】薬剤供給補助具１０の使用方法を説明するための図であり、（ａ）は眼２０の正面図、（ｂ）は眼２０の縦断面図である。
【図１７】薬剤供給補助具１０の正面図である。
【図１８】薬剤供給補助具１０の使用方法を説明するための図であり、（ａ）は眼２０の正面図、（ｂ）は眼２０の縦断面図である。
【図１９】薬剤供給補助具１０の正面図である。
【図２０】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図２１】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図２２】薬剤供給補助具１０の使用方法を説明するための図であり、（ａ）は眼２０の正面図、（ｂ）は眼２０の縦断面図である。
【図２３】薬剤供給補助具１０の正面図である。
【図２４】薬剤４０の形状を示す図であり、（ａ）は薬剤４０の正面図、（ｂ）は正面からみた薬剤４０の斜視図、（ｃ）は背面からみた薬剤４０の斜視図、（ｄ）は（ａ）のＡ−Ａ線に沿った断面図である。
【図２５】薬剤供給補助具１０の使用方法を説明するための図であり、（ａ）は眼２０の正面図、（ｂ）は眼２０の縦断面図である。
【図２６】薬剤４０及び上眼瞼装着部７２の縦断面図である。
【図２７】薬剤４０、眼用アダプタ５０及び上眼瞼装着部７２の縦断面図である。
【図２８】薬剤４０、眼用アダプタ５０及び上眼瞼装着部７２の縦断面図である。
【図２９】上眼瞼装着部７２の拡大図であり、流路１７ａの構造を示す図である。
【図３０】上眼瞼装着部７２の拡大図であり、流路１７ａの構造を示す図である。
【図３１】薬剤供給補助具１０の正面図である。
【図３２】コンタクトレンズ６０の縦断面図である。
【図３３】ブリッジ部１６ａ、１６ｂの幅を示す図であり、眼２０の正面図である。
【図３４】薬剤供給補助具１０に配線用通路を形成し、電子デバイス８０を装着する場合を説明するための図である。
【発明を実施するための形態】
【００９３】
〔第１の実施の形態〕
以下、本発明の第１の実施の形態を説明する。図１乃至図３は、本実施の形態を示す図である。
【００９４】
まず、本実施の形態の構成を説明する。
図１は、薬剤供給補助具１０の正面図である。
【００９５】
薬剤供給補助具１０は、ソフトコンタクトレンズと同一の材質からなり、図１に示すように、装着時に上眼瞼裏側に位置し下弦三日月形状（三日月形状の２つの弧のうち短い弧を下に向けた形状）の上眼瞼装着部７２と、装着時に下眼瞼裏側に位置し上弦三日月形状（三日月形状の２つの弧のうち短い弧を上に向けた形状）の下眼瞼装着部７４と、上眼瞼装着部７２及び下眼瞼装着部７４を連結するブリッジ部１６ａ、１６ｂとを有して構成されている。薬剤供給補助具１０は、平面形状が全体として縦長楕円形状となっている。
【００９６】
上眼瞼装着部７２及び下眼瞼装着部７４は、公知のコンタクトレンズと同様に眼球の表面形状に沿った球面形状となっている。その後面は、眼球の表面にフィットするように眼球の表面と同一又は近い曲率となる球面形状となっている。
【００９７】
ブリッジ部１６ａ、１６ｂは、上眼瞼装着部７２及び下眼瞼装着部７４よりも幅狭であり、装着時に角膜を回避する経路に形成されている。そして、ブリッジ部１６ａ、１６ｂの一端が上眼瞼装着部７２の下辺左右両端に、他端が下眼瞼装着部７４の上辺左右両端に接合されている。ブリッジ部１６ａ、１６ｂで区画される開口部（以下「開口部」という。）は、上下にやや扁平の球殻形状となっており、その径は角膜よりも大径（１．３〜２．０倍程度）となっている。
【００９８】
上眼瞼装着部７２にはプール１９ａが、下眼瞼装着部７４にはプール１９ｂがそれぞれ形成されている。プール１９ａは、上眼瞼装着部７２よりも小さい相似形状で、眼球の表面上で流動する薬剤が流入可能な開口及びその薬剤を貯留可能な内空を有する貫通孔として形成されている。プール１９ｂは、下眼瞼装着部７４よりも小さい相似形状で、眼球の表面上で流動する薬剤が流入可能な開口及びその薬剤を貯留可能な内空を有する貫通孔として形成されている。
【００９９】
図２は、上眼瞼装着部７２の拡大図であり、流路１７ａの構造を示す図である。
上眼瞼装着部７２の下辺中央には、プール１９ａから開口部に薬剤を案内する流路１７ａが面方向に形成されている。下眼瞼装着部７４の上辺中央には、プール１９ｂから開口部に薬剤を案内する流路１７ｂが面方向に形成されている。流路１７ａは、図２に示すように、上眼瞼装着部７２の前面を開口とする隘路（凹部）として形成されている。流路１７ｂも同様に形成されている。
【０１００】
次に、本実施の形態の動作を説明する。
図３は、薬剤供給補助具１０の使用方法を説明するための図であり、（ａ）は眼２０の正面図、（ｂ）は眼２０の縦断面図である。図３（ａ）中、点線で示す最外円は結膜の外縁を示している。
【０１０１】
使用者は、図３に示すように、薬剤供給補助具１０を装着する。薬剤供給補助具１０は、開口部に角膜２４が収まるようにして装着する。次に、使用者は、薬剤供給補助具１０上に点眼薬を点眼する。装用時は、上眼瞼結膜２６ａ及び眼球の表面が蓋となってプール１９ａの開口を前後に閉鎖するので、点眼された薬剤は、プール１９ａに貯留され、時間をかけて結膜や角膜等の部位にその成分が供給される。同様に、下眼瞼結膜２６ｂ及び眼球の表面が蓋となってプール１９ｂの開口を前後に閉鎖するので、点眼された薬剤は、プール１９ｂに貯留され、時間をかけて結膜や角膜等の部位にその成分が供給される。
【０１０２】
また、流路１７ａ、１７ｂを通じてプール１９ａ、１９ｂから開口部（角膜２４の側）に薬剤が案内される。
【０１０３】
次に、本実施の形態の効果を説明する。
本実施の形態では、薬剤供給補助具１０は、装着時に上眼瞼裏側に位置し眼球に装着可能な上眼瞼装着部７２を備え、上眼瞼装着部７２には、眼球の表面上で流動する薬剤が流入可能な開口及びその薬剤を貯留可能な内空を有する貫通孔であるプール１９ａが形成されている。
【０１０４】
これにより、薬剤と薬剤供給補助具１０との組み合わせを選択又は変更等することができる。例えば、薬剤を使い切った場合は、薬剤供給補助具１０に薬剤を追加することができる。また例えば、他の薬剤を用いたい場合は、薬剤供給補助具１０ごと交換し、新たな薬剤供給補助具１０に他の薬剤を適用することができる。したがって、従来に比して、薬剤の使い切りや変更等への対応が容易となる。また、プール１９ａに貯留された薬剤が時間をかけて供給されるので、長時間にわたって薬剤を供給することができる。さらに、上眼瞼装着部７２が上眼瞼裏側に位置するので、上眼瞼裏側の部位に薬剤を効果的に供給することができる。
【０１０５】
さらに、本実施の形態では、薬剤供給補助具１０は、プール１９ａから開口部に薬剤を案内する流路１７ａが面方向に形成されている。
【０１０６】
これにより、プール１９ａから開口部に又は開口部からプール１９ａに薬剤を供給することができる。
【０１０７】
さらに、本実施の形態では、開口部は、プール１９ａの下方に位置する。
これにより、重力等によりプール１９ａから下方の開口部に薬剤が案内されるので、開口部に薬剤を供給しやすい。
【０１０８】
さらに、本実施の形態では、装着時に上眼瞼結膜２６ａ及び眼球の表面が蓋となってプール１９ａの開口が閉鎖される。
【０１０９】
これにより、プール１９ａに薬剤が貯留されやすい。
さらに、本実施の形態では、薬剤供給補助具１０は、装着時に下眼瞼裏側に位置し眼球に装着可能な下眼瞼装着部７４を備え、下眼瞼装着部７４には、眼球の表面上で流動する薬剤が流入可能な開口及びその薬剤を貯留可能な内空を有する貫通孔であるプール１９ｂが形成されている。
【０１１０】
これにより、薬剤と薬剤供給補助具１０との組み合わせを選択又は変更等することができるので、従来に比して、薬剤の使い切りや変更等への対応が容易となる。また、プール１９ｂに貯留された薬剤が時間をかけて供給されるので、長時間にわたって薬剤を供給することができる。さらに、下眼瞼装着部７４が下眼瞼裏側に位置するので、下眼瞼裏側の部位に薬剤を効果的に供給することができる。
【０１１１】
さらに、本実施の形態では、薬剤供給補助具１０は、プール１９ｂから開口部に薬剤を案内する流路１７ｂが面方向に形成されている。
【０１１２】
これにより、プール１９ｂから開口部に又は開口部からプール１９ｂに薬剤を供給することができる。
【０１１３】
さらに、本実施の形態では、プール１９ｂは下眼瞼裏側に、開口部はプール１９ｂの上方にそれぞれ位置する。
【０１１４】
これにより、重力により及び瞬目の影響が少ないことにより下眼瞼側の方が上眼瞼側よりも薬剤が滞留しやすいので、下眼瞼裏側に位置するプール１９ｂに薬剤が貯留されやすい。また、プール１９ｂに貯留された薬剤を開口部に供給することができる。
【０１１５】
さらに、本実施の形態では、装着時に下眼瞼結膜２６ｂ及び眼球の表面が蓋となってプール１９ｂの開口が閉鎖される。
【０１１６】
これにより、プール１９ｂに薬剤が貯留されやすい。
さらに、本実施の形態では、薬剤供給補助具１０は、上眼瞼装着部７２及び下眼瞼装着部７４を連結するブリッジ部１６ａ、１６ｂを備える。
【０１１７】
これにより、ブリッジ部１６ａ、１６ｂがない構成に比して、眼瞼や眼球の動き等によって上眼瞼装着部７２及び下眼瞼装着部７４の位置がずれる可能性又は度合いを低減することができる。
【０１１８】
さらに、本実施の形態では、ブリッジ部１６ａ、１６ｂは、上眼瞼装着部７２及び下眼瞼装着部７４よりも幅狭である。
【０１１９】
これにより、装着時にブリッジ部１６ａ、１６ｂが目立ちにくく、見た目の違和感が少ない。
【０１２０】
さらに、本実施の形態では、ブリッジ部１６ａ、１６ｂは、装着時に角膜２４を回避する経路に形成されている。
【０１２１】
これにより、角膜２４への干渉が生じる可能性又は度合いを低減することができる。レンズ等の媒体が角膜２４に位置することによる角膜２４への干渉としては、例えば、酸素透過性を低下させること、涙液の交換を阻害すること、角膜２４に障害を与えること、異物感を増加させることが考えられる。
【０１２２】
さらに、本実施の形態では、上眼瞼装着部７２及び下眼瞼装着部７４は、装着時に角膜２４を回避し結膜の異なる箇所に位置する。
【０１２３】
これにより、異なる部位に薬剤を供給することができる。また、角膜２４への干渉が生じる可能性又は度合いを低減することができる。
【０１２４】
さらに、本実施の形態では、薬剤供給補助具１０は、平面形状が全体として縦長楕円形状となっている。
【０１２５】
これにより、平面形状が非円形状である楕円形状となっているので、円形状の構成に比して、眼瞼や眼球の動き等により薬剤供給補助具１０が眼球の表面上で回転する可能性又は度合いを低減することができる。特に、縦長楕円形状となっているので、結膜の深部まで薬剤を供給しやすい。また、平面形状に角部を有さないので、眼瞼や眼球への干渉が生じる可能性又は度合いを低減することができる。眼瞼や眼球への干渉としては、例えば、眼瞼や眼球に障害を与えること、異物感を増加させることが考えられる。
【０１２６】
本実施の形態において、薬剤供給補助具１０は、発明１、２、１１乃至１５、１８乃至２１の眼用器具、又は発明３２、３５若しくは３６の眼用装着物に対応し、開口部は、発明１１乃至１５の第２孔に対応している。
【０１２７】
〔第２の実施の形態〕
次に、本発明の第２の実施の形態を説明する。図４及び図５は、本実施の形態を示す図である。なお、以下、上記第１の実施の形態と異なる部分についてのみ説明し、重複する部分については同一の符号を付して説明を省略する。
【０１２８】
まず、本実施の形態の構成を説明する。
図４は、薬剤供給補助具１０の正面図である。
【０１２９】
薬剤供給補助具１０は、図４に示すように、上眼瞼装着部７２と、下眼瞼装着部７４と、ブリッジ部１６ａ、１６ｂと、上眼瞼装着部７２及び下眼瞼装着部７４を連結するブリッジ部１６ｃ、１６ｄ、１６ｅとを有して構成されている。
【０１３０】
ブリッジ部１６ｃ〜１６ｅは、上眼瞼装着部７２及び下眼瞼装着部７４よりも幅狭であり、装着時に角膜２４を通過する三叉状の経路に形成されている。そして、ブリッジ部１６ｃの一端が上眼瞼装着部７２の下辺中央に、ブリッジ部１６ｄの一端が下眼瞼装着部７４の上辺右部に、ブリッジ部１６ｅの一端が下眼瞼装着部７４の上辺左部に接合されている。また、ブリッジ部１６ｃ〜１６ｅの他端は、中央（瞳孔領域（装着時に瞳孔２２に位置する領域））で接合されている。
【０１３１】
ここで、上眼瞼装着部７２及びブリッジ部１６ａ、１６ｃ、１６ｅで区画される領域がプール１９ａを構成する。また、上眼瞼装着部７２及びブリッジ部１６ｂ、１６ｃ、１６ｄで区画される領域がプール１９ｂを構成する。また、下眼瞼装着部７４及びブリッジ部１６ｄ、１６ｅで区画される領域が、薬剤を貯留可能なプール１９ｃを構成する。
【０１３２】
ブリッジ部１６ｃの中央には、プール１９ａ、１９ｂの間で薬剤を案内する流路１７ａが面方向に形成されている。ブリッジ部１６ｄの中央には、プール１９ｂ、１９ｃの間で薬剤を案内する流路１７ｂが面方向に形成されている。ブリッジ部１６ｅの中央には、プール１９ａ、１９ｃの間で薬剤を案内する流路１７ｃが面方向に形成されている。流路１７ａ〜１７ｃは、上記第１の実施の形態と同様に、ブリッジ部１６ｃ〜１６ｅの前面を開口とする隘路（凹部）として形成されている。
【０１３３】
次に、本実施の形態の動作を説明する。
図５は、薬剤供給補助具１０の使用方法を説明するための図であり、（ａ）は眼２０の正面図、（ｂ）は眼２０の縦断面図である。図５（ａ）中、点線で示す最外円は結膜の外縁を示している。
【０１３４】
使用者は、図５に示すように、薬剤供給補助具１０を装着する。薬剤供給補助具１０は、開口部に角膜２４が収まるようにして装着する。次に、使用者は、薬剤供給補助具１０上に点眼薬を点眼する。装用時は、上眼瞼結膜２６ａ及び眼球の表面が蓋となってプール１９ａ、１９ｂの開口の一部を前後に閉鎖するので、点眼された薬剤は、プール１９ａ、１９ｂに貯留され、時間をかけて結膜や角膜等の部位にその成分が供給される。同様に、下眼瞼結膜２６ｂ及び眼球の表面が蓋となってプール１９ａ、１９ｂ、１９ｃの開口の一部を前後に閉鎖するので、点眼された薬剤は、プール１９ａ、１９ｂ、１９ｃに貯留され、時間をかけて結膜や角膜等の部位にその成分が供給される。
【０１３５】
また、流路１７ａを通じてプール１９ａ、１９ｂの間で薬剤が、流路１７ｂを通じてプール１９ｂ、１９ｃの間で薬剤が、流路１７ｃを通じてプール１９ａ、１９ｃの間で薬剤がそれぞれ案内される。
【０１３６】
次に、本実施の形態の効果を説明する。
本実施の形態では、薬剤供給補助具１０は、プール１９ａ、１９ｂの間で薬剤を案内する流路１７ａが面方向に形成されている。
【０１３７】
これにより、プール１９ａからプール１９ｂに又はプール１９ｂからプール１９ａに薬剤を供給することができる。
【０１３８】
さらに、本実施の形態では、薬剤供給補助具１０は、プール１９ｂ、１９ｃの間で薬剤を案内する流路１７ｂが面方向に形成されている。
【０１３９】
これにより、プール１９ｂからプール１９ｃに又はプール１９ｃからプール１９ｂに薬剤を供給することができる。
【０１４０】
さらに、本実施の形態では、薬剤供給補助具１０は、プール１９ａ、１９ｃの間で薬剤を案内する流路１７ｃが面方向に形成されている。
【０１４１】
これにより、プール１９ａからプール１９ｃに又はプール１９ｃからプール１９ａに薬剤を供給することができる。
【０１４２】
さらに、本実施の形態では、薬剤供給補助具１０は、装着時に眼瞼裏側及び角膜２４に位置する領域が三叉状のブリッジ部１６ｃ〜１６ｅで３つのプール１９ａ〜１９ｃに区画されている。
【０１４３】
これにより、複数のプール１９ａ〜１９ｃに薬剤が貯留されるので、同一の領域を１つのプールで構成する場合に比して、薬剤の偏りが少なくなり、一部の部位に薬剤が供給されない可能性又は度合いを低減することができる。
【０１４４】
本実施の形態において、薬剤供給補助具１０は、発明１、２、６、１８乃至２１の眼用器具、又は発明３２、３５若しくは３６の眼用装着物に対応している。
【０１４５】
〔第３の実施の形態〕
次に、本発明の第３の実施の形態を説明する。図６及び図７は、本実施の形態を示す図である。
【０１４６】
まず、本実施の形態の構成を説明する。
図６は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【０１４７】
薬剤供給補助具１０は、ソフトコンタクトレンズと同一の材質で構成されている。薬剤供給補助具１０は、図６に示すように、公知のソフトコンタクトレンズと同様に眼球の表面形状に沿った球面形状であり、全体として球殻形状となっている。その後面は、眼球の表面にフィットするように眼球の表面と同一又は近い曲率となる球面形状となっている。また、平面形状が全体としてやや縦長楕円形状となっている。公知のソフトコンタクトレンズと異なる点の一つはサイズが大きい点であり、装着時に眼瞼裏側の深部にまで及ぶ領域を有している。
【０１４８】
薬剤供給補助具１０の中央には、角膜領域（装着時に角膜２４に位置する領域）を開口する貫通孔１２が形成されている。貫通孔１２の径は、角膜２４よりも大径（１．２倍程度）となっている。
【０１４９】
薬剤供給補助具１０には、複数（図６の例では７つ）のプール１９ａ〜１９ｇが、貫通孔１２の外周に沿って形成されている。プール１９ａ〜１９ｇは、眼球の表面上で流動する薬剤が流入可能な矩形状の開口及びその薬剤を貯留可能な内空を有する貫通孔として形成されている。プール１９ａは左上に、プール１９ｂは右上にそれぞれ位置し、プール１９ａ、１９ｂは装着時に上眼瞼裏側に位置する。プール１９ｃはプール１９ｂの右下に、プール１９ｇはプール１９ａの左下にそれぞれ位置し、プール１９ｃ、１９ｇは装着時に上眼瞼裏側及び角膜２４の左右結膜に位置する。プール１９ｅは下中央に位置し、装着時に下眼瞼裏側に位置する。プール１９ｄはプール１９ｅの右上に、プール１９ｆはプール１９ｅの左上にそれぞれ位置し、プール１９ｄ、１９ｆは装着時に下眼瞼裏側及び角膜２４の左右結膜に位置する。
【０１５０】
プール１９ａ〜１９ｇは径方向の長さが同程度となっている。また、プール１９ａ〜１９ｄ、１９ｆ、１９ｇは周方向の長さが同程度となっているのに対し、プール１９ｅは周方向の長さがプール１９ａの約２倍となっている。そして、プール１９ａ〜１９ｇは、貫通孔１２の外周に沿って周方向に均等に配置されている。例えば、プール１９ａ〜１９ｄ、１９ｆ、１９ｇの周方向の長さをＬ１、プール１９ｅの周方向の長さをＬ２、プール１９ａ〜１９ｇの周方向の間隔をｄ、プール１９ａ〜１９ｇの全周の長さをＲとすると、Ｒ＝（Ｌ１＋ｄ）×８、Ｌ２＝Ｌ１×２＋ｄの関係が成り立つ。
【０１５１】
プール１９ｅの上側には、プール１９ｅと貫通孔１２との間で薬剤を案内する流路１７ａが面方向に形成されている。プール１９ｅの右側には、プール１９ｄ、１９ｅの間で薬剤を案内する流路１７ｂが面方向に形成されている。プール１９ｅの左側には、プール１９ｅ、１９ｆの間で薬剤を案内する流路１７ｃが面方向に形成されている。流路１７ａ〜１７ｃは、上記第１の実施の形態と同様に、薬剤供給補助具１０の前面を開口とする隘路（凹部）として形成されている。
【０１５２】
次に、本実施の形態の動作を説明する。
図７は、薬剤供給補助具１０の使用方法を説明するための図であり、（ａ）は眼２０の正面図、（ｂ）は眼２０の縦断面図である。図７（ａ）中、点線で示す最外円は結膜の外縁を示している。
【０１５３】
使用者は、図７に示すように、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａ、１９ｂの開口及びプール１９ｃ、１９ｇの開口の一部を前後に閉鎖するので、点眼された薬剤は、プール１９ａ〜１９ｃ、１９ｇに貯留され、時間をかけて結膜や角膜等の部位にその成分が供給される。同様に、下眼瞼結膜２６ｂ及び眼球の表面が蓋となってプール１９ｅの開口及びプール１９ｄ、１９ｆの開口の一部を前後に閉鎖するので、点眼された薬剤は、プール１９ｄ〜１９ｆに貯留され、時間をかけて結膜や角膜等の部位にその成分が供給される。
【０１５４】
また、流路１７ｂを通じてプール１９ｄ、１９ｅの間で薬剤が、流路１７ｃを通じてプール１９ｅ、１９ｆの間で薬剤がそれぞれ案内される。そして、流路１７ａを通じてプール１９ｅから貫通孔１２（角膜２４の側）に薬剤が案内される。薬剤の上方への移動は毛細管現象等により行われる。
【０１５５】
次に、本実施の形態の効果を説明する。
本実施の形態では、薬剤供給補助具１０は、眼球の表面上で流動する薬剤が流入可能な開口及びその薬剤を貯留可能な内空を有する貫通孔であるプール１９ａ〜１９ｇが、装着時に角膜２４に位置する領域の外周に沿って複数形成されている。
【０１５６】
これにより、薬剤と薬剤供給補助具１０との組み合わせを選択又は変更等することができる。例えば、薬剤を使い切った場合は、薬剤供給補助具１０に薬剤を追加することができる。また例えば、他の薬剤を用いたい場合は、薬剤供給補助具１０ごと交換し、新たな薬剤供給補助具１０に他の薬剤を適用することができる。したがって、従来に比して、薬剤の使い切りや変更等への対応が容易となる。また、プール１９ａ〜１９ｇに貯留された薬剤が時間をかけて供給されるので、長時間にわたって薬剤を供給することができる。さらに、角膜２４に位置する領域の外周に沿って複数のプール１９ａ〜１９ｇが形成されているので、角膜２４外側の部位に薬剤を効果的に供給することができるとともに、同一の領域を１つのプールで構成する場合に比して、薬剤の偏りが少なくなり、一部の部位に薬剤が供給されない可能性又は度合いを低減することができる。
【０１５７】
さらに、本実施の形態では、薬剤供給補助具１０は、プール１９ｅと貫通孔１２との間で薬剤を案内する流路１７ａが面方向に形成されている。
【０１５８】
これにより、プール１９ｅから貫通孔１２に又は貫通孔１２からプール１９ｅに薬剤を供給することができる。
【０１５９】
さらに、本実施の形態では、プール１９ｅは下眼瞼裏側に、貫通孔１２はプール１９ｅの上方にそれぞれ位置する。
【０１６０】
これにより、重力により及び瞬目の影響が少ないことにより下眼瞼側の方が上眼瞼側よりも薬剤が滞留しやすいので、下眼瞼裏側に位置するプール１９ｅに薬剤が貯留されやすい。また、プール１９ｅに貯留された薬剤を貫通孔１２に供給することができる。
【０１６１】
さらに、本実施の形態では、薬剤供給補助具１０は、プール１９ｄ、１９ｅの間で薬剤を案内する流路１７ｂが面方向に形成されている。
【０１６２】
これにより、プール１９ｄからプール１９ｅに又はプール１９ｅからプール１９ｄに薬剤を供給することができる。
【０１６３】
さらに、本実施の形態では、薬剤供給補助具１０は、プール１９ｅ、１９ｆの間で薬剤を案内する流路１７ｃが面方向に形成されている。
【０１６４】
これにより、プール１９ｅからプール１９ｆに又はプール１９ｆからプール１９ｅに薬剤を供給することができる。
【０１６５】
さらに、本実施の形態では、装着時に上眼瞼裏側に位置するプール１９ａ、１９ｂの数が下眼瞼裏側に位置するプール１９ｅの数よりも多い。
【０１６６】
これにより、重力及び上眼瞼の動作等により上眼瞼裏側の方が下眼瞼裏側よりも薬剤がプールから溢れ出やすいので、上眼瞼裏側のプール１９ａ、１９ｂの数を下眼瞼裏側のプール１９ｅの数よりも多くすることで上眼瞼裏側の薬剤の貯留効率が低下する可能性を低減することができる。
【０１６７】
さらに、本実施の形態では、装着時に下眼瞼裏側に位置するプール１９ｅの容量が上眼瞼裏側に位置するプール１９ａ、１９ｂの各容量よりも大きい。
【０１６８】
これにより、重力により及び瞬目の影響が少ないことにより下眼瞼裏側の方が上眼瞼裏側よりも薬剤が滞留しやすいので、下眼瞼裏側のプール１９ｅの容量を上眼瞼裏側のプール１９ａ、１９ｂの各容量よりも大きくすることで薬剤が貯留されやすい。
【０１６９】
さらに、本実施の形態では、装着時に角膜２４の左右結膜に位置する領域にプール１９ｃ、１９ｄ、１９ｆ、１９ｇが形成されている。
【０１７０】
これにより、眼瞼裂に薬剤を効果的に供給することができる。
さらに、本実施の形態では、角膜２４に位置する領域の外周に沿って複数のプール１９ａ〜１９ｇが周方向に均等に配置されている。
【０１７１】
これにより、薬剤供給補助具１０が眼球の表面上で回転した場合、眼瞼や眼球のある箇所から一のプールが遠ざかっても他のプールが近づくことになり、回転による影響を低減することができる。
【０１７２】
さらに、本実施の形態では、装着時に上眼瞼結膜２６ａ及び眼球の表面が蓋となってプール１９ａ、１９ｂの開口及びプール１９ｃ、１９ｇの開口の一部が閉鎖される。
【０１７３】
これにより、プール１９ａ〜１９ｃ、１９ｇに薬剤が貯留されやすい。
さらに、本実施の形態では、装着時に下眼瞼結膜２６ｂ及び眼球の表面が蓋となってプール１９ｅの開口及びプール１９ｄ、１９ｆの開口の一部が閉鎖される。
【０１７４】
これにより、プール１９ｄ〜１９ｆに薬剤が貯留されやすい。
さらに、本実施の形態では、薬剤供給補助具１０は、平面形状が全体としてやや縦長楕円形状となっている。
【０１７５】
これにより、平面形状が非円形状である楕円形状となっているので、円形状の構成に比して、眼瞼や眼球の動き等により薬剤供給補助具１０が眼球の表面上で回転する可能性又は度合いを低減することができる。特に、縦長楕円形状となっているので、結膜の深部まで薬剤を供給しやすい。また、平面形状に角部を有さないので、眼瞼や眼球への干渉が生じる可能性又は度合いを低減することができる。眼瞼や眼球への干渉としては、例えば、眼瞼や眼球に障害を与えること、異物感を増加させることが考えられる。
【０１７６】
本実施の形態において、薬剤供給補助具１０は、発明１、２、６、１１乃至１３、１５、１８乃至２１の眼用器具、又は発明３２、３５若しくは３６の眼用装着物に対応し、貫通孔１２は、発明１１乃至１３又は１５の第２孔に対応している。
【０１７７】
〔第４の実施の形態〕
次に、本発明の第４の実施の形態を説明する。図８及び図９は、本実施の形態を示す図である。なお、以下、上記第３の実施の形態と異なる部分についてのみ説明し、重複する部分については同一の符号を付して説明を省略する。
【０１７８】
まず、本実施の形態の構成を説明する。
図８は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【０１７９】
薬剤供給補助具１０には、図８に示すように、複数（図８の例では２つ）のプール１９ａ、１９ｅが、貫通孔１２の外周に沿って形成されている。プール１９ａ、１９ｅは、眼球の表面上で流動する薬剤が流入可能な横長楕円形状の開口及びその薬剤を貯留可能な内空を有する貫通孔として形成されている。プール１９ａは上中央に位置し、装着時に上眼瞼裏側に位置する。プール１９ｅは下中央に位置し、装着時に下眼瞼裏側に位置する。
【０１８０】
プール１９ａ、１９ｅは径方向の長さが同程度となっている。また、プール１９ａは周方向の長さが貫通孔１２の直径と同程度となっているのに対し、プール１９ｅは周方向の長さがプール１９ａの約１．５倍となっている。
【０１８１】
プール１９ｅの上側には、プール１９ｅと貫通孔１２との間で薬剤を案内する流路１７ａが面方向に形成されている。流路１７ａは、上記第１の実施の形態と同様に、薬剤供給補助具１０の前面を開口とする隘路（凹部）として形成されている。
【０１８２】
次に、本実施の形態の動作を説明する。
図９は、薬剤供給補助具１０の使用方法を説明するための図であり、（ａ）は眼２０の正面図、（ｂ）は眼２０の縦断面図である。図９（ａ）中、点線で示す最外円は結膜の外縁を示している。
【０１８３】
使用者は、図９に示すように、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａの開口を前後に閉鎖するので、点眼された薬剤は、プール１９ａに貯留され、時間をかけて結膜や角膜等の部位にその成分が供給される。同様に、下眼瞼結膜２６ｂ及び眼球の表面が蓋となってプール１９ｅの開口を前後に閉鎖するので、点眼された薬剤は、プール１９ｅに貯留され、時間をかけて結膜や角膜等の部位にその成分が供給される。
【０１８４】
また、流路１７ａを通じてプール１９ｅから貫通孔１２（角膜２４の側）に薬剤が案内される。薬剤の上方への移動は毛細管現象等により行われる。
【０１８５】
次に、本実施の形態の効果を説明する。
本実施の形態では、薬剤供給補助具１０は、プール１９ｅと貫通孔１２との間で薬剤を案内する流路１７ａが面方向に形成されている。
【０１８６】
これにより、プール１９ｅから貫通孔１２に又は貫通孔１２からプール１９ｅに薬剤を供給することができる。
【０１８７】
さらに、本実施の形態では、プール１９ｅは下眼瞼裏側に、貫通孔１２はプール１９ｅの上方にそれぞれ位置する。
【０１８８】
これにより、重力により及び瞬目の影響が少ないことにより下眼瞼側の方が上眼瞼側よりも薬剤が滞留しやすいので、下眼瞼裏側に位置するプール１９ｅに薬剤が貯留されやすい。また、プール１９ｅに貯留された薬剤を貫通孔１２に供給することができる。
【０１８９】
さらに、本実施の形態では、装着時に下眼瞼裏側に位置するプール１９ｅの容量が上眼瞼裏側に位置するプール１９ａの容量よりも大きい。
【０１９０】
これにより、重力により及び瞬目の影響が少ないことにより下眼瞼裏側の方が上眼瞼裏側よりも薬剤が滞留しやすいので、下眼瞼裏側のプール１９ｅの容量を上眼瞼裏側のプール１９ａの容量よりも大きくすることで薬剤が貯留されやすい。
【０１９１】
本実施の形態において、薬剤供給補助具１０は、発明１、２、１１乃至１３、１５、１８乃至２１の眼用器具、又は発明３２、３５若しくは３６の眼用装着物に対応し、貫通孔１２は、発明１１乃至１３又は１５の第２孔に対応している。
【０１９２】
〔第５の実施の形態〕
次に、本発明の第５の実施の形態を説明する。図１０及び図１１は、本実施の形態を示す図である。なお、以下、上記第３及び第４の実施の形態と異なる部分についてのみ説明し、重複する部分については同一の符号を付して説明を省略する。
【０１９３】
まず、本実施の形態の構成を説明する。
図１０は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【０１９４】
薬剤供給補助具１０には、図１０に示すように、複数（図１０の例では４つ）のプール１９ａ〜１９ｃ、１９ｅが、貫通孔１２の外周に沿って形成されている。プール１９ｂは、眼球の表面上で流動する薬剤が流入可能な円形状の開口及びその薬剤を貯留可能な内空を有する貫通孔として形成されている。プール１９ａ、１９ｃは、眼球の表面上で流動する薬剤が流入可能なやや横長楕円形状の開口及びその薬剤を貯留可能な内空を有する貫通孔として形成されている。プール１９ｅは、眼球の表面上で流動する薬剤が流入可能な横長楕円形状の開口及びその薬剤を貯留可能な内空を有する貫通孔として形成されている。プール１９ｂは上中央に、プール１９ａはプール１９ｂの左下に、プール１９ｃはプール１９ｂの右下にそれぞれ位置し、プール１９ａ〜１９ｃは装着時に上眼瞼裏側に位置する。プール１９ｅは下中央に位置し、装着時に下眼瞼裏側に位置する。
【０１９５】
プール１９ａ〜１９ｃ、１９ｅは径方向の長さが同程度となっている。また、プール１９ａ〜１９ｃは周方向の長さが全体で貫通孔１２の直径と同程度となっており、プール１９ａ、１９ｃはプール１９ｂよりもやや長くなっている。これに対し、プール１９ｅは周方向の長さが上記第４の実施の形態におけるプール１９ｅと同程度となっている。
【０１９６】
プール１９ｅの上側には、プール１９ｅと貫通孔１２との間で薬剤を案内する流路１７ａが面方向に形成されている。プール１９ｂの左側には、プール１９ａ、１９ｂの間で薬剤を案内する流路１７ｂが面方向に形成されている。プール１９ｂの右側には、プール１９ｂ、１９ｃの間で薬剤を案内する流路１７ｃが面方向に形成されている。流路１７ａ〜１７ｃは、上記第１の実施の形態と同様に、薬剤供給補助具１０の前面を開口とする隘路（凹部）として形成されている。
【０１９７】
次に、本実施の形態の動作を説明する。
図１１は、薬剤供給補助具１０の使用方法を説明するための図であり、（ａ）は眼２０の正面図、（ｂ）は眼２０の縦断面図である。図１１（ａ）中、点線で示す最外円は結膜の外縁を示している。
【０１９８】
使用者は、図１１に示すように、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａ〜１９ｃの開口を前後に閉鎖するので、点眼された薬剤は、プール１９ａ〜１９ｃに貯留され、時間をかけて結膜や角膜等の部位にその成分が供給される。同様に、下眼瞼結膜２６ｂ及び眼球の表面が蓋となってプール１９ｅの開口を前後に閉鎖するので、点眼された薬剤は、プール１９ｅに貯留され、時間をかけて結膜や角膜等の部位にその成分が供給される。
【０１９９】
また、流路１７ｂを通じてプール１９ａ、１９ｂの間で薬剤が、流路１７ｃを通じてプール１９ｂ、１９ｃの間で薬剤がそれぞれ案内される。また、流路１７ａを通じてプール１９ｅから貫通孔１２（角膜２４の側）に薬剤が案内される。薬剤の上方への移動は毛細管現象等により行われる。
【０２００】
次に、本実施の形態の効果を説明する。
本実施の形態では、薬剤供給補助具１０は、プール１９ｅと貫通孔１２との間で薬剤を案内する流路１７ａが面方向に形成されている。
【０２０１】
これにより、プール１９ｅから貫通孔１２に又は貫通孔１２からプール１９ｅに薬剤を供給することができる。
【０２０２】
さらに、本実施の形態では、プール１９ｅは下眼瞼裏側に、貫通孔１２はプール１９ｅの上方にそれぞれ位置する。
【０２０３】
これにより、重力により及び瞬目の影響が少ないことにより下眼瞼側の方が上眼瞼側よりも薬剤が滞留しやすいので、下眼瞼裏側に位置するプール１９ｅに薬剤が貯留されやすい。また、プール１９ｅに貯留された薬剤を貫通孔１２に供給することができる。
【０２０４】
さらに、本実施の形態では、薬剤供給補助具１０は、プール１９ａ、１９ｂの間で薬剤を案内する流路１７ｂが面方向に形成されている。
【０２０５】
これにより、プール１９ａからプール１９ｂに又はプール１９ｂからプール１９ａに薬剤を供給することができる。
【０２０６】
さらに、本実施の形態では、薬剤供給補助具１０は、プール１９ｂ、１９ｃの間で薬剤を案内する流路１７ｃが面方向に形成されている。
【０２０７】
これにより、プール１９ｂからプール１９ｃに又はプール１９ｃからプール１９ｂに薬剤を供給することができる。
【０２０８】
さらに、本実施の形態では、装着時に上眼瞼裏側に位置するプール１９ａ〜１９ｃの数が下眼瞼裏側に位置するプール１９ｅの数よりも多い。
【０２０９】
これにより、重力及び上眼瞼の動作等により上眼瞼裏側の方が下眼瞼裏側よりも薬剤がプールから溢れ出やすいので、上眼瞼裏側のプール１９ａ〜１９ｃの数を下眼瞼裏側のプール１９ｅの数よりも多くすることで上眼瞼裏側の薬剤の貯留効率が低下する可能性を低減することができる。
【０２１０】
さらに、本実施の形態では、装着時に下眼瞼裏側に位置するプール１９ｅの容量が上眼瞼裏側に位置するプール１９ａ〜１９ｃの各容量よりも大きい。
【０２１１】
これにより、重力により及び瞬目の影響が少ないことにより下眼瞼裏側の方が上眼瞼裏側よりも薬剤が滞留しやすいので、下眼瞼裏側のプール１９ｅの容量を上眼瞼裏側のプール１９ａ〜１９ｃの各容量よりも大きくすることで薬剤が貯留されやすい。
【０２１２】
本実施の形態において、薬剤供給補助具１０は、発明１、２、６、１１乃至１３、１５、１８乃至２１の眼用器具、又は発明３２、３５若しくは３６の眼用装着物に対応し、貫通孔１２は、発明１１乃至１３又は１５の第２孔に対応している。
【０２１３】
〔第６の実施の形態〕
次に、本発明の第６の実施の形態を説明する。図１２乃至図１４は、本実施の形態を示す図である。
【０２１４】
まず、本実施の形態の構成を説明する。
図１２は、薬剤供給補助具１０の外観形状を示す図であり、（ａ）は薬剤供給補助具１０の正面図、（ｂ）は正面からみた薬剤供給補助具１０の斜視図である。
【０２１５】
図１３は、薬剤供給補助具１０の外観形状を示す図であり、（ａ）は薬剤供給補助具１０の側面図、（ｂ）は背面からみた薬剤供給補助具１０の斜視図である。
【０２１６】
薬剤供給補助具１０は、ソフトコンタクトレンズと同一の材質で構成されている。薬剤供給補助具１０は、図１２及び図１３に示すように、公知のソフトコンタクトレンズと同様に眼球の表面形状に沿った球面形状であり、全体として球殻形状となっている。その後面は、眼球の表面にフィットするように眼球の表面と同一又は近い曲率となる球面形状となっている。また、平面形状が全体としてやや縦長楕円形状となっている。公知のソフトコンタクトレンズと異なる点の一つはサイズが大きい点であり、装着時に眼瞼裏側の深部にまで及ぶ領域を有している。
【０２１７】
薬剤供給補助具１０の中央には、角膜領域を開口する貫通孔１２が形成されている。貫通孔１２の径は、角膜２４よりも大径（１．２倍程度）となっている。
【０２１８】
薬剤供給補助具１０の上部には、下弦三日月形状（三日月形状の２つの弧のうち短い弧を下に向けた形状）のプール１９ａが形成されている。プール１９ａは、薬剤供給補助具１０の前面を開口とする凹部として形成され、眼球の表面上で流動する薬剤が流入可能な開口及びその薬剤を貯留可能な内空を有している。プール１９ａの横幅は、角膜２４の直径の１．５倍程度で、薬剤供給補助具１０の横幅に対し大部分を占めている。プール１９ａは、装着時に開口全体が上眼瞼内に収容される。
【０２１９】
プール１９ａの下側には、プール１９ａと貫通孔１２との間で薬剤を案内する流路１７ａが面方向に形成されている。流路１７ａは、上記第１の実施の形態と同様に、薬剤供給補助具１０の前面を開口とする隘路（凹部）として形成されている。
【０２２０】
次に、本実施の形態の動作を説明する。
図１４は、薬剤供給補助具１０の使用方法を説明するための図であり、（ａ）は眼２０の正面図、（ｂ）は眼２０の縦断面図である。図１４（ａ）中、点線で示す最外円は結膜の外縁を示している。
【０２２１】
使用者は、図１４に示すように、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、プール１９ａの開口全体が上眼瞼内に収容され、上眼瞼結膜２６ａが蓋となってプール１９ａの開口を閉鎖するので、点眼された薬剤は、プール１９ａに貯留され、時間をかけて結膜や角膜等の部位にその成分が供給される。
【０２２２】
また、流路１７ａを通じてプール１９ａから貫通孔１２（角膜２４の側）に薬剤が案内される。
【０２２３】
次に、本実施の形態の効果を説明する。
本実施の形態では、薬剤供給補助具１０は、眼球の表面上で流動する薬剤が流入可能な開口及びその薬剤を貯留可能な内空を有する凹部であるプール１９ａが上部に形成され、装着時にプール１９ａの開口全体が上眼瞼内に収容される。
【０２２４】
これにより、薬剤と薬剤供給補助具１０との組み合わせを選択又は変更等することができる。例えば、薬剤を使い切った場合は、薬剤供給補助具１０に薬剤を追加することができる。また例えば、他の薬剤を用いたい場合は、薬剤供給補助具１０ごと交換し、新たな薬剤供給補助具１０に他の薬剤を適用することができる。したがって、従来に比して、薬剤の使い切りや変更等への対応が容易となる。また、プール１９ａに貯留された薬剤が時間をかけて供給されるので、長時間にわたって薬剤を供給することができる。さらに、プール１９ａの開口全体が上眼瞼内に収容されるので、プール１９ａに薬剤が貯留されやすく、また上眼瞼裏側の部位に薬剤を効果的に供給することができる。
【０２２５】
さらに、本実施の形態では、薬剤供給補助具１０は、プール１９ａと貫通孔１２との間で薬剤を案内する流路１７ａが面方向に形成されている。
【０２２６】
これにより、プール１９ａから貫通孔１２に又は貫通孔１２からプール１９ａに薬剤を供給することができる。
【０２２７】
さらに、本実施の形態では、貫通孔１２は、プール１９ａの下方に位置する。
これにより、重力等によりプール１９ａから下方の貫通孔１２に薬剤が案内されるので、貫通孔１２に薬剤を供給しやすい。
【０２２８】
さらに、本実施の形態では、装着時に上眼瞼結膜２６ａが蓋となってプール１９ａの開口が閉鎖される。
【０２２９】
これにより、プール１９ａに薬剤が貯留されやすい。
さらに、本実施の形態では、薬剤供給補助具１０は、角膜領域を開口する貫通孔１２が形成されている。
【０２３０】
これにより、角膜２４への干渉が生じる可能性又は度合いを低減することができる。レンズ等の媒体が角膜２４に位置することによる角膜２４への干渉としては、例えば、酸素透過性を低下させること、涙液の交換を阻害すること、角膜２４に障害を与えること、異物感を増加させることが考えられる。
【０２３１】
さらに、本実施の形態では、薬剤供給補助具１０は、平面形状が全体として縦長楕円形状となっている。
【０２３２】
これにより、平面形状が非円形状である楕円形状となっているので、円形状の構成に比して、眼瞼や眼球の動き等により薬剤供給補助具１０が眼球の表面上で回転する可能性又は度合いを低減することができる。特に、縦長楕円形状となっているので、結膜の深部まで薬剤を供給しやすい。また、平面形状に角部を有さないので、眼瞼や眼球への干渉が生じる可能性又は度合いを低減することができる。眼瞼や眼球への干渉としては、例えば、眼瞼や眼球に障害を与えること、異物感を増加させることが考えられる。
【０２３３】
本実施の形態において、薬剤供給補助具１０は、発明１、２、１１乃至１４、１８乃至２１の眼用器具、又は発明３２、３５若しくは３６の眼用装着物に対応し、貫通孔１２は、発明１１乃至１４の第２孔に対応している。
【０２３４】
〔第７の実施の形態〕
次に、本発明の第７の実施の形態を説明する。図１５及び図１６は、本実施の形態を示す図である。
【０２３５】
まず、本実施の形態の構成を説明する。
図１５は、薬剤供給補助具１０の正面図である。
【０２３６】
薬剤供給補助具１０は、ソフトコンタクトレンズと同一の材質からなり、図１５に示すように、公知のソフトコンタクトレンズと同様に眼球の表面形状に沿った球面形状となっている。その後面は、眼球の表面にフィットするように眼球の表面と同一又は近い曲率となる球面形状となっている。また、平面形状が全体として上弦三日月形状（三日月形状の２つの弧のうち短い弧を上に向けた形状）であり、薬剤供給補助具１０全体が下眼瞼内に収容可能な大きさとなっている。
【０２３７】
薬剤供給補助具１０は、装着時に角膜２４の下方に位置する上縁１２ａと、装着時に下眼瞼結膜円蓋部に接する下縁１２ｂとを有して構成されている。上縁１２ａは角膜２４の輪郭に沿った曲線形状であり、下縁１２ｂは下眼瞼結膜円蓋部に沿った曲線形状となっている。また、上縁１２ａと下縁１２ｂの境界は角丸形状となっている。
【０２３８】
薬剤供給補助具１０には、プール１９ａが形成されている。プール１９ａは、薬剤供給補助具１０よりもやや小さい相似形状で、眼球の表面上で流動する薬剤が流入可能な開口及びその薬剤を貯留可能な内空を有する貫通孔として形成されている。プール１９ａの横幅は、角膜２４の直径の１．８倍程度で、薬剤供給補助具１０の横幅に対し大部分を占めている。プール１９ａは、装着時に開口全体が下眼瞼内に収容される。
【０２３９】
プール１９ａの上側には、装着時に角膜２４に臨む上縁１２ａとプール１９ａとの間で薬剤を案内する流路１７ａが面方向に形成されている。流路１７ａは、上記第１の実施の形態と同様に、薬剤供給補助具１０の前面を開口とする隘路（凹部）として形成されている。
【０２４０】
次に、本実施の形態の動作を説明する。
図１６は、薬剤供給補助具１０の使用方法を説明するための図であり、（ａ）は眼２０の正面図、（ｂ）は眼２０の縦断面図である。図１６（ａ）中、点線で示す最外円は結膜の外縁を示している。
【０２４１】
使用者は、図１６に示すように、薬剤供給補助具１０を装着する。薬剤供給補助具１０は、下眼瞼内のうち角膜２４と下眼瞼結膜円蓋部２６ｆとの間に装着する。このとき、下縁１２ｂが下眼瞼結膜円蓋部２６ｆに沿った曲線形状であるので、下縁１２ｂが下眼瞼結膜円蓋部２６ｆにフィットする。次に、使用者は、角膜２４上に点眼薬を点眼する。装用時は、プール１９ａの開口全体が下眼瞼内に収容され、下眼瞼結膜２６ｂ及び眼球の表面が蓋となってプール１９ａの開口を前後に閉鎖するので、点眼された薬剤は、プール１９ａに貯留され、時間をかけて結膜や角膜等の部位にその成分が供給される。
【０２４２】
また、流路１７ａを通じてプール１９ａから角膜２４の側に薬剤が案内される。薬剤の上方への移動は毛細管現象等により行われる。
【０２４３】
次に、本実施の形態の効果を説明する。
本実施の形態では、薬剤供給補助具１０は、結膜に装着可能であり、眼球の表面上で流動する薬剤が流入可能な開口及びその薬剤を貯留可能な内空を有する貫通孔であるプール１９ａが形成され、装着時にプール１９ａの開口全体が下眼瞼内に収容される。
【０２４４】
これにより、薬剤と薬剤供給補助具１０との組み合わせを選択又は変更等することができる。例えば、薬剤を使い切った場合は、薬剤供給補助具１０に薬剤を追加することができる。また例えば、他の薬剤を用いたい場合は、薬剤供給補助具１０ごと交換し、新たな薬剤供給補助具１０に他の薬剤を適用することができる。したがって、従来に比して、薬剤の使い切りや変更等への対応が容易となる。また、プール１９ａに貯留された薬剤が時間をかけて供給されるので、長時間にわたって薬剤を供給することができる。さらに、プール１９ａの開口全体が下眼瞼内に収容されるので、プール１９ａに薬剤が貯留されやすく、また下眼瞼裏側の部位に薬剤を効果的に供給することができる。さらに、薬剤供給補助具１０が結膜に装着されるので、角膜２４への干渉が生じる可能性又は度合いを低減することができる。レンズ等の媒体が角膜２４に位置することによる角膜２４への干渉としては、例えば、酸素透過性を低下させること、涙液の交換を阻害すること、角膜２４に障害を与えること、異物感を増加させることが考えられる。
【０２４５】
さらに、本実施の形態では、薬剤供給補助具１０は、装着時に角膜２４に臨む上縁１２ａとプール１９ａとの間で薬剤を案内する流路１７ａが面方向に形成されている。
【０２４６】
これにより、プール１９ａから角膜２４の側に又は角膜２４の側からプール１９ａに薬剤を供給することができる。
【０２４７】
さらに、本実施の形態では、プール１９ａは下眼瞼裏側に、上縁１２ａはプール１９ａの上方にそれぞれ位置する。
【０２４８】
これにより、重力により及び瞬目の影響が少ないことにより下眼瞼側の方が上眼瞼側よりも薬剤が滞留しやすいので、下眼瞼裏側に位置するプール１９ａに薬剤が貯留されやすい。また、プール１９ａに貯留された薬剤を角膜２４の側に供給することができる。
【０２４９】
さらに、本実施の形態では、装着時に薬剤供給補助具１０全体が下眼瞼内に収容される。
【０２５０】
これにより、装着時に薬剤供給補助具１０が目立ちにくく、見た目の違和感が少ない。また、重力により及び瞬目の影響が少ないことにより下眼瞼裏側の方が上眼瞼裏側よりも薬剤が滞留しやすいので、下眼瞼内に収容されることで薬剤が貯留されやすい。
【０２５１】
さらに、本実施の形態では、装着時に角膜２４下方に位置する上縁１２ａ及び下眼瞼結膜円蓋部２６ｆに接する下縁１２ｂを有する。
【０２５２】
これより、下眼瞼内のうち角膜２４と下眼瞼結膜円蓋部２６ｆとの間に薬剤供給補助具１０を装着することができる。また、下縁１２ｂが下眼瞼結膜円蓋部２６ｆまで及ぶので、下眼瞼結膜円蓋部２６ｆまで薬剤を供給しやすい。
【０２５３】
さらに、本実施の形態では、上縁１２ａは、角膜２４の輪郭に沿った曲線形状となっている。
【０２５４】
これにより、角膜２４に対する形状適合性を有するので、角膜２４への干渉が生じる可能性又は度合いを低減することができる。
【０２５５】
さらに、本実施の形態では、下縁１２ｂは、下眼瞼結膜円蓋部２６ｆに沿った曲線形状となっている。
【０２５６】
これにより、下眼瞼結膜円蓋部２６ｆに対する形状適合性を有するので、下眼瞼結膜円蓋部２６ｆへの干渉が生じる可能性又は度合いを低減することができる。下眼瞼結膜円蓋部２６ｆへの干渉としては、例えば、下眼瞼結膜円蓋部２６ｆに障害を与えること、異物感を増加させることが考えられる。
【０２５７】
さらに、本実施の形態では、装着時に下眼瞼結膜２６ｂ及び眼球の表面が蓋となってプール１９ａの開口が閉鎖される。
【０２５８】
これにより、プール１９ａに薬剤が貯留されやすい。
さらに、本実施の形態では、薬剤供給補助具１０は、平面形状が全体として上弦三日月形状となっている。
【０２５９】
これにより、平面形状が非円形状である上弦三日月形状となっているので、円形状の構成に比して、眼瞼や眼球の動き等により薬剤供給補助具１０が眼球の表面上で回転する可能性又は度合いを低減することができる。また、平面形状に角部を有さないので、眼瞼や眼球への干渉が生じる可能性又は度合いを低減することができる。眼瞼や眼球への干渉としては、例えば、眼瞼や眼球に障害を与えること、異物感を増加させることが考えられる。
【０２６０】
本実施の形態において、薬剤供給補助具１０は、発明１、２、１６、１８乃至２１の眼用器具、又は発明３２、３５若しくは３６の眼用装着物に対応している。
【０２６１】
〔第８の実施の形態〕
次に、本発明の第８の実施の形態を説明する。図１７及び図１８は、本実施の形態を示す図である。
【０２６２】
まず、本実施の形態の構成を説明する。
図１７は、薬剤供給補助具１０の正面図である。
【０２６３】
薬剤供給補助具１０は、図１７に示すように、眼球の表面に装着可能な装着部１１を有して構成されている。装着部１１は、ソフトコンタクトレンズと同一の材質で構成されている。装着部１１は、公知のソフトコンタクトレンズと同様に眼球の表面形状に沿った球面形状であり、全体として球殻形状となっている。その後面は、眼球の表面にフィットするように眼球の表面と同一又は近い曲率となる球面形状となっている。また、平面形状が全体として円形状となっている。公知のソフトコンタクトレンズと異なる点の一つはサイズが大きい点であり、装着時に眼瞼裏側の深部にまで及ぶ領域を有している。
【０２６４】
装着部１１の中央には、角膜領域を開口する貫通孔１２が形成されている。貫通孔１２の径は、角膜２４よりも大径（１．２倍程度）となっている。
【０２６５】
薬剤供給補助具１０は、装着部１１の外縁から外側に張り出しその外縁の一部を囲うとともにプール１９ａを区画する環部７６ａを有して構成されている。環部７６ａは、装着部１１の上外周に形成されている。プール１９ａは、半楕円形状で、眼球の表面上で流動する薬剤が流入可能な開口及びその薬剤を貯留可能な内空を有する貫通孔として形成されている。
【０２６６】
プール１９ａの下側には、プール１９ａと貫通孔１２との間で薬剤を案内する流路１７ａが面方向に形成されている。流路１７ａは、上記第１の実施の形態と同様に、薬剤供給補助具１０の前面を開口とする隘路（凹部）として形成されている。
【０２６７】
次に、本実施の形態の動作を説明する。
図１８は、薬剤供給補助具１０の使用方法を説明するための図であり、（ａ）は眼２０の正面図、（ｂ）は眼２０の縦断面図である。図１８（ａ）中、点線で示す最外円は結膜の外縁を示している。
【０２６８】
使用者は、図１８に示すように、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａの開口を前後に閉鎖するので、点眼された薬剤は、装着部１１の外側の環部７６ａで区画されるプール１９ａに貯留され、時間をかけて結膜や角膜等の部位にその成分が供給される。
【０２６９】
また、流路１７ａを通じてプール１９ａから貫通孔１２（角膜２４の側）に薬剤が案内される。
【０２７０】
次に、本実施の形態の効果を説明する。
本実施の形態では、薬剤供給補助具１０は、眼球の表面に装着可能な装着部１１と、装着部１１の外縁から外側に張り出しその外縁の一部を囲うとともに、薬剤が流入可能な開口及びその薬剤を貯留可能な領域を有するプール１９ａを区画する環部７６ａとを備える。
【０２７１】
これにより、薬剤と薬剤供給補助具１０との組み合わせを選択又は変更等することができる。例えば、薬剤を使い切った場合は、薬剤供給補助具１０に薬剤を追加することができる。また例えば、他の薬剤を用いたい場合は、薬剤供給補助具１０ごと交換し、新たな薬剤供給補助具１０に他の薬剤を適用することができる。したがって、従来に比して、薬剤の使い切りや変更等への対応が容易となる。また、プール１９ａに貯留された薬剤が時間をかけて供給されるので、長時間にわたって薬剤を供給することができる。さらに、装着部１１の外側にプール１９ａが区画されているので、装着部１１の外側の部位に薬剤を効果的に供給することができる。
【０２７２】
さらに、本実施の形態では、薬剤供給補助具１０は、プール１９ａから貫通孔１２に薬剤を案内する流路１７ａが面方向に形成されている。
【０２７３】
これにより、プール１９ａから貫通孔１２に又は貫通孔１２からプール１９ａに薬剤を供給することができる。
【０２７４】
さらに、本実施の形態では、貫通孔１２は、プール１９ａの下方に位置する。
これにより、重力等によりプール１９ａから下方の貫通孔１２に薬剤が案内されるので、貫通孔１２に薬剤を供給しやすい。
【０２７５】
さらに、本実施の形態では、装着時に上眼瞼結膜２６ａ及び眼球の表面が蓋となってプール１９ａの開口が閉鎖される。
【０２７６】
これにより、プール１９ａに薬剤が貯留されやすい。
さらに、本実施の形態では、装着時にプール１９ａの開口全体が上眼瞼内に収容される。
【０２７７】
これにより、プール１９ａに薬剤が貯留されやすく、また上眼瞼裏側の部位に薬剤を効果的に供給することができる。
【０２７８】
さらに、本実施の形態では、薬剤供給補助具１０は、角膜領域を開口する貫通孔１２が形成されている。
【０２７９】
これにより、角膜２４への干渉が生じる可能性又は度合いを低減することができる。レンズ等の媒体が角膜２４に位置することによる角膜２４への干渉としては、例えば、酸素透過性を低下させること、涙液の交換を阻害すること、角膜２４に障害を与えること、異物感を増加させることが考えられる。
【０２８０】
本実施の形態において、薬剤供給補助具１０は、発明１、２、１１乃至１４、１８乃至２１の眼用器具、又は発明３２、３５若しくは３６の眼用装着物に対応し、貫通孔１２は、発明１１乃至１４の第２孔に対応している。
【０２８１】
〔第９の実施の形態〕
次に、本発明の第９の実施の形態を説明する。図１９は、本実施の形態を示す図である。なお、以下、上記第８の実施の形態と異なる部分についてのみ説明し、重複する部分については同一の符号を付して説明を省略する。
【０２８２】
まず、本実施の形態の構成を説明する。
図１９は、薬剤供給補助具１０の正面図である。
【０２８３】
薬剤供給補助具１０は、図１９に示すように、装着部１１と、複数の環部７６ａ〜７６ｈとを有して構成されている。環部７６ａ〜７６ｈは、装着部１１の外周に沿って周方向に均等に配置されている。具体的には、環部７６ａ〜７６ｈはその順で、上外周、右上外周、右外周、右下外周、下外周、左下外周、左外周、左上外周にそれぞれ形成されている。環部７６ａ〜７６ｈは、装着部１１の外縁から外側に張り出しその外縁の一部を囲うとともにプール１９ａ〜１９ｈを区画する。プール１９ａ〜１９ｈは、半楕円形状で、眼球の表面上で流動する薬剤が流入可能な開口及びその薬剤を貯留可能な内空を有する貫通孔として形成されている。
【０２８４】
プール１９ａの下側には、プール１９ａと貫通孔１２との間で薬剤を案内する流路１７ａが面方向に形成されている。同様に、プール１９ｂ〜１９ｈの、貫通孔１２に向かう各対岸には、そのプールと貫通孔１２との間で薬剤を案内する流路１７ｂ〜１７ｈがそれぞれ面方向に形成されている。流路１７ａ〜１７ｈは、上記第１の実施の形態と同様に、薬剤供給補助具１０の前面を開口とする隘路（凹部）として形成されている。
【０２８５】
次に、本実施の形態の動作を説明する。
使用者は、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａ、１９ｂ、１９ｈの開口を前後に閉鎖するので、点眼された薬剤は、装着部１１の外側の環部７６ａ、７６ｂ、７６ｈで区画されるプール１９ａ、１９ｂ、１９ｈに貯留され、時間をかけて結膜や角膜等の部位にその成分が供給される。同様に、下眼瞼結膜２６ｂ及び眼球の表面が蓋となってプール１９ｄ〜１９ｆの開口を前後に閉鎖するので、点眼された薬剤は、装着部１１の外側の環部７６ｄ〜７６ｆで区画されるプール１９ｄ〜１９ｆに貯留され、時間をかけて結膜や角膜等の部位にその成分が供給される。また、プール１９ｃ、１９ｇにも薬剤が貯留され、眼瞼裂にその成分が供給される。
【０２８６】
また、流路１７ａ〜１７ｈを通じてプール１９ａ〜１９ｈから貫通孔１２（角膜２４の側）に薬剤が案内される。薬剤の上方への移動は毛細管現象等により行われる。
【０２８７】
次に、本実施の形態の効果を説明する。
本実施の形態では、薬剤供給補助具１０は、プール１９ａ〜１９ｈから貫通孔１２に薬剤を案内する流路１７ａ〜１７ｈが面方向に形成されている。
【０２８８】
これにより、プール１９ａ〜１９ｈから貫通孔１２に又は貫通孔１２からプール１９ａ〜１９ｈに薬剤を供給することができる。
【０２８９】
さらに、本実施の形態では、貫通孔１２は、プール１９ａの下方に位置する。
これにより、重力等によりプール１９ａから下方の貫通孔１２に薬剤が案内されるので、貫通孔１２に薬剤を供給しやすい。
【０２９０】
さらに、本実施の形態では、プール１９ｅは下眼瞼裏側に、貫通孔１２はプール１９ｅの上方にそれぞれ位置する。
【０２９１】
これにより、重力により及び瞬目の影響が少ないことにより下眼瞼側の方が上眼瞼側よりも薬剤が滞留しやすいので、下眼瞼裏側に位置するプール１９ｅに薬剤が貯留されやすい。また、プール１９ｅに貯留された薬剤を貫通孔１２に供給することができる。
【０２９２】
さらに、本実施の形態では、薬剤供給補助具１０は、装着部１１の外縁の異なる箇所を囲う複数の環部７６ａ〜７６ｈを備える。
【０２９３】
これにより、複数のプール１９ａ〜１９ｈに薬剤が貯留されるので、薬剤が貯留されやすい。また、装着部１１の外縁の異なる箇所に複数のプール１９ａ〜１９ｈが区画されているので、装着部１１の外側の部位に薬剤をさらに効果的に供給することができる。
【０２９４】
さらに、本実施の形態では、装着部１１の外周に沿って複数のプール１９ａ〜１９ｈが周方向に均等に配置されている。
【０２９５】
これにより、薬剤供給補助具１０が眼球の表面上で回転した場合、眼瞼や眼球のある箇所から一のプールが遠ざかっても他のプールが近づくことになり、回転による影響を低減することができる。
【０２９６】
さらに、本実施の形態では、装着時に角膜２４の左右結膜に位置する領域にプール１９ｃ、１９ｇが形成されている。
【０２９７】
これにより、眼瞼裂に薬剤を効果的に供給することができる。
さらに、本実施の形態では、装着時に上眼瞼結膜２６ａ及び眼球の表面が蓋となってプール１９ａ、１９ｂ、１９ｈの開口が閉鎖される。
【０２９８】
これにより、プール１９ａ、１９ｂ、１９ｈに薬剤が貯留されやすい。
さらに、本実施の形態では、装着時にプール１９ａ、１９ｂ、１９ｈの開口全体が上眼瞼内に収容される。
【０２９９】
これにより、プール１９ａ、１９ｂ、１９ｈに薬剤が貯留されやすく、また上眼瞼裏側の部位に薬剤を効果的に供給することができる。
【０３００】
さらに、本実施の形態では、装着時に下眼瞼結膜２６ｂ及び眼球の表面が蓋となってプール１９ｄ〜１９ｆの開口が閉鎖される。
【０３０１】
これにより、プール１９ｄ〜１９ｆに薬剤が貯留されやすい。
さらに、本実施の形態では、装着時にプール１９ｄ〜１９ｆの開口全体が下眼瞼内に収容される。
【０３０２】
これにより、プール１９ｄ〜１９ｆに薬剤が貯留されやすく、また下眼瞼裏側の部位に薬剤を効果的に供給することができる。
【０３０３】
本実施の形態において、薬剤供給補助具１０は、発明１、２、１１乃至１５、１８乃至２１の眼用器具、又は発明３２、３５若しくは３６の眼用装着物に対応し、貫通孔１２は、発明１１乃至１５の第２孔に対応している。
【０３０４】
〔第１０の実施の形態〕
次に、本発明の第１０の実施の形態を説明する。図２０は、本実施の形態を示す図である。なお、以下、上記第８の実施の形態と異なる部分についてのみ説明し、重複する部分については同一の符号を付して説明を省略する。
【０３０５】
まず、本実施の形態の構成を説明する。
図２０は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【０３０６】
薬剤供給補助具１０は、図２０に示すように、装着部１１と、複数の環部７６ａ〜７６ｃとを有して構成されている。装着部１１は、平面形状が全体としてやや縦長楕円形状となっている。環部７６ａ〜７６ｃは、装着部１１の外周に沿って周方向に均等に配置されている。具体的には、環部７６ａ〜７６ｃはその順で、上外周、右下外周、左下外周にそれぞれ形成されている。環部７６ａ〜７６ｃは、装着部１１の外縁から外側に張り出しその外縁の一部を囲うとともにプール１９ａ〜１９ｃを区画する。プール１９ａ〜１９ｃは、半楕円形状で、眼球の表面上で流動する薬剤が流入可能な開口及びその薬剤を貯留可能な内空を有する貫通孔として形成されている。
【０３０７】
プール１９ａの下側には、プール１９ａと貫通孔１２との間で薬剤を案内する流路１７ａが面方向に形成されている。同様に、プール１９ｂ、１９ｃの、貫通孔１２に向かう各対岸には、そのプールと貫通孔１２との間で薬剤を案内する流路１７ｂ、１７ｃがそれぞれ面方向に形成されている。流路１７ａ〜１７ｃは、上記第１の実施の形態と同様に、薬剤供給補助具１０の前面を開口とする隘路（凹部）として形成されている。
【０３０８】
次に、本実施の形態の動作を説明する。
使用者は、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａの開口を前後に閉鎖するので、点眼された薬剤は、装着部１１の外側の環部７６ａで区画されるプール１９ａに貯留され、時間をかけて結膜や角膜等の部位にその成分が供給される。同様に、下眼瞼結膜２６ｂ及び眼球の表面が蓋となってプール１９ｂ、１９ｃの開口を前後に閉鎖するので、点眼された薬剤は、装着部１１の外側の環部７６ｂ、７６ｃで区画されるプール１９ｂ、１９ｃに貯留され、時間をかけて結膜や角膜等の部位にその成分が供給される。
【０３０９】
また、流路１７ａ〜１７ｃを通じてプール１９ａ〜１９ｃから貫通孔１２（角膜２４の側）に薬剤が案内される。薬剤の上方への移動は毛細管現象等により行われる。
【０３１０】
次に、本実施の形態の効果を説明する。
さらに、本実施の形態では、薬剤供給補助具１０は、プール１９ａ〜１９ｃから貫通孔１２に薬剤を案内する流路１７ａ〜１７ｃが面方向に形成されている。
【０３１１】
これにより、プール１９ａ〜１９ｃから貫通孔１２に又は貫通孔１２からプール１９ａ〜１９ｃに薬剤を供給することができる。
【０３１２】
さらに、本実施の形態では、貫通孔１２は、プール１９ａの下方に位置する。
これにより、重力等によりプール１９ａから下方の貫通孔１２に薬剤が案内されるので、貫通孔１２に薬剤を供給しやすい。
【０３１３】
さらに、本実施の形態では、薬剤供給補助具１０は、装着部１１の外縁の異なる箇所を囲う複数の環部７６ａ〜７６ｃを備える。
【０３１４】
これにより、複数のプール１９ａ〜１９ｃに薬剤が貯留されるので、薬剤が貯留されやすい。また、装着部１１の外縁の異なる箇所に複数のプール１９ａ〜１９ｃが区画されているので、装着部１１の外側の部位に薬剤をさらに効果的に供給することができる。
【０３１５】
さらに、本実施の形態では、装着部１１の外周に沿って複数のプール１９ａ〜１９ｃが周方向に均等に配置されている。
【０３１６】
これにより、薬剤供給補助具１０が眼球の表面上で回転した場合、眼瞼や眼球のある箇所から一のプールが遠ざかっても他のプールが近づくことになり、回転による影響を低減することができる。
【０３１７】
さらに、本実施の形態では、装着時に下眼瞼裏側に位置するプール１９ｂ、１９ｃの総容量が上眼瞼裏側に位置するプール１９ａの容量よりも大きい。
【０３１８】
これにより、重力により及び瞬目の影響が少ないことにより下眼瞼裏側の方が上眼瞼裏側よりも薬剤が滞留しやすいので、下眼瞼裏側のプール１９ｂ、１９ｃの総容量を上眼瞼裏側のプール１９ａの容量よりも大きくすることで薬剤が貯留されやすい。
【０３１９】
さらに、本実施の形態では、装着時に上眼瞼結膜２６ａ及び眼球の表面が蓋となってプール１９ａの開口が閉鎖される。
【０３２０】
これにより、プール１９ａに薬剤が貯留されやすい。
さらに、本実施の形態では、装着時にプール１９ａの開口全体が上眼瞼内に収容される。
【０３２１】
これにより、プール１９ａに薬剤が貯留されやすく、また上眼瞼裏側の部位に薬剤を効果的に供給することができる。
【０３２２】
さらに、本実施の形態では、装着時に下眼瞼結膜２６ｂ及び眼球の表面が蓋となってプール１９ｂ、１９ｃの開口が閉鎖される。
【０３２３】
これにより、プール１９ｂ、１９ｃに薬剤が貯留されやすい。
さらに、本実施の形態では、装着時にプール１９ｂ、１９ｃの開口全体が下眼瞼内に収容される。
【０３２４】
これにより、プール１９ｂ、１９ｃに薬剤が貯留されやすく、また下眼瞼裏側の部位に薬剤を効果的に供給することができる。
【０３２５】
さらに、本実施の形態では、薬剤供給補助具１０は、平面形状が全体として縦長楕円形状となっている。
【０３２６】
これにより、平面形状が非円形状である楕円形状となっているので、円形状の構成に比して、眼瞼や眼球の動き等により薬剤供給補助具１０が眼球の表面上で回転する可能性又は度合いを低減することができる。特に、縦長楕円形状となっているので、結膜の深部まで薬剤を供給しやすい。また、平面形状に角部を有さないので、眼瞼や眼球への干渉が生じる可能性又は度合いを低減することができる。眼瞼や眼球への干渉としては、例えば、眼瞼や眼球に障害を与えること、異物感を増加させることが考えられる。
【０３２７】
本実施の形態において、薬剤供給補助具１０は、発明１、２、１１乃至１４、１８乃至２１の眼用器具、又は発明３２、３５若しくは３６の眼用装着物に対応し、貫通孔１２は、発明１１乃至１４の第２孔に対応している。
【０３２８】
〔第１１の実施の形態〕
次に、本発明の第１１の実施の形態を説明する。図２１及び図２２は、本実施の形態を示す図である。
【０３２９】
まず、本実施の形態の構成を説明する。
図２１は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【０３３０】
薬剤供給補助具１０は、ソフトコンタクトレンズと同一の材質で構成されている。薬剤供給補助具１０は、図２１に示すように、公知のソフトコンタクトレンズと同様に眼球の表面形状に沿った球面形状となっている。その後面は、眼球の表面にフィットするように眼球の表面と同一又は近い曲率となる球面形状となっている。また、平面形状が全体として、角丸矩形の各辺１４ａ〜１４ｄが弓形凸部となる形状となっている。公知のソフトコンタクトレンズと異なる点の一つはサイズが大きい点であり、装着時に眼瞼裏側の深部にまで及ぶ領域を有している。
【０３３１】
薬剤供給補助具１０の中央には、角膜領域を開口する貫通孔１２が形成されている。貫通孔１２の径は、角膜２４よりも大径（１．２倍程度）となっている。
【０３３２】
薬剤供給補助具１０は、装着時に上眼瞼結膜円蓋部に接する左上肩１４ｅ及び右上肩１４ｆと、装着時に下眼瞼結膜円蓋部に接する右下肩１４ｇ及び左下肩１４ｈと、左上肩１４ｅ及び右上肩１４ｆを結ぶ上辺１４ａと、右上肩１４ｆ及び右下肩１４ｇを結ぶ右辺１４ｂと、右下肩１４ｇ及び左下肩１４ｈを結ぶ下辺１４ｃと、左上肩１４ｅ及び左下肩１４ｈを結ぶ左辺１４ｄとを有して構成されている。上辺１４ａは、下方に弓なりに湾曲する形状となっている。下辺１４ｃは、上方に弓なりに湾曲する形状となっている。右辺１４ｂは、右眼角（右目の場合は内眼角をいい、左目の場合は外眼角をいう。）を回避するように左方に弓なりに湾曲する形状であって、装着時に右眼角の水平位置で左方に最も窪む形状となっている。左辺１４ｄは、左眼角（右目の場合は外眼角をいい、左目の場合は内眼角をいう。）を回避するように右方に弓なりに湾曲する形状であって、装着時に左眼角の水平位置で右方に最も窪む形状となっている。
【０３３３】
薬剤供給補助具１０の上部には、装着時に上眼瞼結膜円蓋部に臨む上辺１４ａと貫通孔１２との間で薬剤を案内する流路１７ａが面方向に形成されている。薬剤供給補助具１０の下部には、装着時に下眼瞼結膜円蓋部に臨む下辺１４ｃと貫通孔１２との間で薬剤を案内する流路１７ｂが面方向に形成されている。流路１７ａ、１７ｂは、上記第１の実施の形態と同様に、薬剤供給補助具１０の前面を開口とする隘路（凹部）として形成されている。
【０３３４】
次に、本実施の形態の動作を説明する。
図２２は、薬剤供給補助具１０の使用方法を説明するための図であり、（ａ）は眼２０の正面図、（ｂ）は眼２０の縦断面図である。図２２（ａ）中、点線で示す最外円は結膜の外縁を示している。
【０３３５】
使用者は、図２２に示すように、薬剤供給補助具１０を装着する。薬剤供給補助具１０は、貫通孔１２で角膜２４全体を囲い、貫通孔１２が瞳孔２２と同心円状となるように装着する。このとき、左上肩１４ｅ及び右上肩１４ｆが上眼瞼結膜円蓋部２６ｅに接し、上眼瞼結膜円蓋部２６ｅ及び上辺１４ａによりプール１９ａが区画される。また、右下肩１４ｇ及び左下肩１４ｈが下眼瞼結膜円蓋部２６ｆに接し、下眼瞼結膜円蓋部２６ｆ及び下辺１４ｃによりプール１９ｂが区画される。次に、使用者は、薬剤供給補助具１０上に点眼薬を点眼する。装用時は、上眼瞼結膜２６ａ及び眼球の表面が蓋となってプール１９ａを閉鎖するので、点眼された薬剤は、プール１９ａに貯留され、時間をかけて結膜や角膜等の部位にその成分が供給される。同様に、下眼瞼結膜２６ｂ及び眼球の表面が蓋となってプール１９ｂを閉鎖するので、点眼された薬剤は、プール１９ｂに貯留され、時間をかけて結膜や角膜等の部位にその成分が供給される。
【０３３６】
また、流路１７ａ、１７ｂを通じてプール１９ａ、１９ｂから貫通孔１２（角膜２４の側）に薬剤が案内される。薬剤の上方への移動は毛細管現象等により行われる。
【０３３７】
次に、本実施の形態の効果を説明する。
本実施の形態では、薬剤供給補助具１０は、装着時に上眼瞼結膜円蓋部２６ｅ及び上辺１４ａにより、薬剤を貯留可能なプール１９ａが区画される。
【０３３８】
これにより、薬剤と薬剤供給補助具１０との組み合わせを選択又は変更等することができる。例えば、薬剤を使い切った場合は、薬剤供給補助具１０に薬剤を追加することができる。また例えば、他の薬剤を用いたい場合は、薬剤供給補助具１０ごと交換し、新たな薬剤供給補助具１０に他の薬剤を適用することができる。したがって、従来に比して、薬剤の使い切りや変更等への対応が容易となる。また、プール１９ａに貯留された薬剤が時間をかけて供給されるので、長時間にわたって薬剤を供給することができる。さらに、上眼瞼内にプール１９ａが区画されるので、上眼瞼裏側の部位に薬剤を効果的に供給することができる。
【０３３９】
さらに、本実施の形態では、薬剤供給補助具１０は、装着時に上眼瞼結膜円蓋部２６ｅに臨む上辺１４ａと貫通孔１２との間で薬剤を案内する流路１７ａが面方向に形成されている。
【０３４０】
これにより、プール１９ａから貫通孔１２に又は貫通孔１２からプール１９ａに薬剤を供給することができる。
【０３４１】
さらに、本実施の形態では、貫通孔１２は、プール１９ａの下方に位置する。
これにより、重力等によりプール１９ａから下方の貫通孔１２に薬剤が案内されるので、貫通孔１２に薬剤を供給しやすい。
【０３４２】
さらに、本実施の形態では、薬剤供給補助具１０は、装着時に下眼瞼結膜円蓋部２６ｆに臨む下辺１４ｃと貫通孔１２との間で薬剤を案内する流路１７ｂが面方向に形成されている。
【０３４３】
これにより、プール１９ｂから貫通孔１２に又は貫通孔１２からプール１９ｂに薬剤を供給することができる。
【０３４４】
さらに、本実施の形態では、プール１９ｂは下眼瞼裏側に、貫通孔１２はプール１９ｂの上方にそれぞれ位置する。
【０３４５】
これにより、重力により及び瞬目の影響が少ないことにより下眼瞼側の方が上眼瞼側よりも薬剤が滞留しやすいので、下眼瞼裏側に位置するプール１９ｂに薬剤が貯留されやすい。また、プール１９ｂに貯留された薬剤を貫通孔１２に供給することができる。
【０３４６】
さらに、本実施の形態では、装着時に上眼瞼結膜２６ａ及び眼球の表面が蓋となってプール１９ａの開口が閉鎖される。
【０３４７】
これにより、プール１９ａに薬剤が貯留されやすい。
さらに、本実施の形態では、装着時に左上肩１４ｅ及び右上肩１４ｆが上眼瞼結膜円蓋部２６ｅに接する。
【０３４８】
これにより、プール１９ａから薬剤が溢れ出る可能性又は度合いを低減することができる。
【０３４９】
さらに、本実施の形態では、上辺１４ａが下方に弓なりに湾曲する形状となっている。
これにより、プール１９ａの容量を確保することができる。
【０３５０】
さらに、本実施の形態では、薬剤供給補助具１０は、装着時に下眼瞼結膜円蓋部２６ｆ及び下辺１４ｃにより、薬剤を貯留可能なプール１９ｂが区画される。
【０３５１】
これにより、下眼瞼内にプール１９ｂが区画されるので、下眼瞼裏側の部位に薬剤を効果的に供給することができる。
【０３５２】
さらに、本実施の形態では、装着時に下眼瞼結膜２６ｂ及び眼球の表面が蓋となってプール１９ｂの開口が閉鎖される。
【０３５３】
これにより、プール１９ｂに薬剤が貯留されやすい。
さらに、本実施の形態では、装着時に右下肩１４ｇ及び左下肩１４ｈが下眼瞼結膜円蓋部２６ｆに接する。
【０３５４】
これにより、プール１９ｂから薬剤が溢れ出る可能性又は度合いを低減することができる。
【０３５５】
さらに、本実施の形態では、下辺１４ｃが上方に弓なりに湾曲する形状となっている。
これにより、プール１９ｂの容量を確保することができる。
【０３５６】
さらに、本実施の形態では、右辺１４ｂが左方に弓なりに湾曲する形状となっている。
これにより、右眼角への干渉が生じる可能性又は度合いを低減することができる。右眼角への干渉としては、例えば、右眼角に障害を与えること、異物感を増加させることが考えられる。
【０３５７】
さらに、本実施の形態では、右辺１４ｂが装着時に右眼角の水平位置で左方に窪む形状となっている。
【０３５８】
これにより、右眼角への干渉が生じる可能性又は度合いを低減することができる。
さらに、本実施の形態では、右辺１４ｂが装着時に右眼角の水平位置で左方に最も窪む形状となっている。
【０３５９】
これにより、右眼角への干渉が生じる可能性又は度合いをさらに低減することができる。
【０３６０】
さらに、本実施の形態では、左辺１４ｄが右方に弓なりに湾曲する形状となっている。
これにより、左眼角への干渉が生じる可能性又は度合いを低減することができる。左眼角への干渉としては、例えば、左眼角に障害を与えること、異物感を増加させることが考えられる。
【０３６１】
さらに、本実施の形態では、左辺１４ｄが装着時に左眼角の水平位置で右方に窪む形状となっている。
【０３６２】
これにより、左眼角への干渉が生じる可能性又は度合いを低減することができる。
さらに、本実施の形態では、左辺１４ｄが装着時に左眼角の水平位置で右方に最も窪む形状となっている。
【０３６３】
これにより、左眼角への干渉が生じる可能性又は度合いをさらに低減することができる。
【０３６４】
さらに、本実施の形態では、薬剤供給補助具１０は、角膜領域を開口する貫通孔１２が形成されている。
【０３６５】
これにより、角膜２４への干渉が生じる可能性又は度合いを低減することができる。レンズ等の媒体が角膜２４に位置することによる角膜２４への干渉としては、例えば、酸素透過性を低下させること、涙液の交換を阻害すること、角膜２４に障害を与えること、異物感を増加させることが考えられる。
【０３６６】
さらに、本実施の形態では、薬剤供給補助具１０は、平面形状が全体として、角丸矩形の各辺１４ａ〜１４ｄが弓形凸部となる形状となっている。
【０３６７】
これにより、平面形状が非円形状である楕円形状となっているので、円形状の構成に比して、眼瞼や眼球の動き等により薬剤供給補助具１０が眼球の表面上で回転する可能性又は度合いを低減することができる。
【０３６８】
本実施の形態において、薬剤供給補助具１０は、発明５、１１乃至１５、１８乃至２１の眼用器具、又は発明３４乃至３６の眼用装着物に対応し、貫通孔１２は、発明１１乃至１５の第２孔に対応している。
【０３６９】
〔第１２の実施の形態〕
次に、本発明の第１２の実施の形態を説明する。図２３乃至図２５は、本実施の形態を示す図である。なお、以下、上記第１の実施の形態と異なる部分についてのみ説明し、重複する部分については同一の符号を付して説明を省略する。
【０３７０】
まず、本実施の形態の構成を説明する。
図２３は、薬剤供給補助具１０の正面図である。
【０３７１】
薬剤供給補助具１０は、図２３に示すように、上眼瞼装着部７２、下眼瞼装着部７４及びブリッジ部１６ａ、１６ｂを有して構成されている。上記第１の実施の形態と異なるのは、上眼瞼装着部７２が下方に延び、プール１９ａが下方に移動して上眼瞼装着部７２の上部に薬剤を装着する領域が確保された点、及び、下眼瞼装着部７４が上方に延び、プール１９ｂが上方に移動して下眼瞼装着部７４の下部に薬剤を装着する領域が確保された点である。
【０３７２】
図２４は、薬剤４０の形状を示す図であり、（ａ）は薬剤４０の正面図、（ｂ）は正面からみた薬剤４０の斜視図、（ｃ）は背面からみた薬剤４０の斜視図、（ｄ）は（ａ）のＡ−Ａ線に沿った断面図である。
【０３７３】
薬剤４０は、図２４に示すように、扁平楕円板状に形成されている。薬剤４０の後面は、上眼瞼装着部７２又は下眼瞼装着部７４の前面にフィットするように上眼瞼装着部７２又は下眼瞼装着部７４の前面と同一又は近い曲率となる球面形状となっている。薬剤４０の後面には、楕円形状の吸盤孔４２が形成されている。吸盤孔４２は吸盤構造となっている。
【０３７４】
次に、本実施の形態の動作を説明する。
図２５は、薬剤供給補助具１０の使用方法を説明するための図であり、（ａ）は眼２０の正面図、（ｂ）は眼２０の縦断面図である。図２５（ａ）中、点線で示す最外円は結膜の外縁を示している。
【０３７５】
使用者は、まず、図２５に示すように、薬剤４０の後面を上眼瞼装着部７２の前面に押し当てると、吸盤孔４２の吸盤室内が陰圧となって吸盤孔４２が上眼瞼装着部７２の前面に吸着し、薬剤４０が上眼瞼装着部７２に装着される。同様に、薬剤４０の後面を下眼瞼装着部７４の前面に押し当てると、吸盤孔４２の吸盤室内が陰圧となって吸盤孔４２が下眼瞼装着部７４の前面に吸着し、薬剤４０が下眼瞼装着部７４に装着される。次に、使用者は、薬剤供給補助具１０を装着する。薬剤供給補助具１０は、開口部に角膜２４が収まるようにして装着する。装用時は、上眼瞼結膜２６ａ及び眼球の表面が蓋となってプール１９ａの開口を前後に閉鎖するので、上眼瞼装着部７２に装着された薬剤４０が溶け出すと、プール１９ａにその成分が貯留され、時間をかけて結膜や角膜等の部位にその成分が供給される。同様に、下眼瞼結膜２６ｂ及び眼球の表面が蓋となってプール１９ｂの開口を前後に閉鎖するので、下眼瞼装着部７４に装着された薬剤４０が溶け出すと、プール１９ｂにその成分が貯留され、時間をかけて結膜や角膜等の部位にその成分が供給される。
【０３７６】
また、流路１７ａ、１７ｂを通じてプール１９ａ、１９ｂから開口部（角膜２４の側）に薬剤が案内される。
【０３７７】
次に、本実施の形態の効果を説明する。
本実施の形態では、薬剤４０は、薬剤供給補助具１０に吸着する吸盤構造を有する吸盤孔４２を備える。
【０３７８】
これにより、吸盤により薬剤４０が薬剤供給補助具１０に装着されるので、薬剤４０と薬剤供給補助具１０との組み合わせを選択又は変更等することができる。例えば、薬剤４０を使い切った場合は、薬剤供給補助具１０に新たな薬剤４０を装着することができる。また例えば、他の薬剤４０を用いたい場合は、薬剤供給補助具１０ごと交換し、新たな薬剤供給補助具１０に他の薬剤４０を装着することができる。したがって、従来に比して、薬剤４０の使い切りや変更等への対応が容易となる。
【０３７９】
本実施の形態において、薬剤供給補助具１０は、発明１、２、１１乃至１５、１８乃至２１、２３、２６乃至２８若しくは３１の眼用器具、又は発明３２、３５若しくは３６の眼用装着物に対応し、吸盤孔４２は、発明２７の吸着手段、又は発明２３、２６乃至２８若しくは３１の装着手段に対応している。また、開口部は、発明１１乃至１５の第２孔に対応している。
【０３８０】
〔変形例〕
なお、上記第１２の実施の形態の変形例として、次の構成を採用することができる。以下の構成中、眼用装着物、眼用器具及び装着手段のバリエーションについては、上記第１２の実施の形態及びその変形例を採用することができる。
【０３８１】
〔１層構造：１層目内装着構成〕
この構成は、眼球に装着する吸盤構造その他の装着手段を有する眼用装着物（１層目）を備え、眼用装着物を眼球に装着する構成である。
【０３８２】
〔２層構造：２層目内装着構成〕
この構成は、眼球に装着可能な眼用器具（１層目）と、眼用器具に装着する吸盤構造その他の装着手段を有する眼用装着物（２層目）とを備え、眼用装着物を眼用器具に装着する構成である。上記第１２の実施の形態がこの構成である。
【０３８３】
〔２層構造：１層目外装着構成〕
この構成は、眼用装着物（２層目）と、眼用装着物に装着する吸盤構造その他の装着手段を有し眼球に装着可能な眼用器具（１層目）とを備え、眼用装着物を眼用器具に装着する構成である。例えば、図２６の変形例を採用することができる。
【０３８４】
図２６の変形例は、薬剤供給補助具１０に吸盤構造を設けた構成である。
図２６は、薬剤４０及び上眼瞼装着部７２の縦断面図である。
【０３８５】
薬剤４０は、図２６に示すように、扁平円板状に形成されている。上眼瞼装着部７２の前面には吸盤孔７２ａが形成されている。吸盤孔７２ａは、薬剤４０よりもやや小径で吸盤構造となっている。これにより、薬剤４０の後面を上眼瞼装着部７２の前面に押し当てると、吸盤孔７２ａの吸盤室内が陰圧となって吸盤孔７２ａが薬剤４０の後面に吸着し、薬剤４０が上眼瞼装着部７２に装着される。
【０３８６】
下眼瞼装着部７４にも、上眼瞼装着部７２と同様に吸盤構造を設けることができる。これにより、薬剤４０の後面を下眼瞼装着部７４の前面に押し当てると、吸盤孔の吸盤室内が陰圧となって吸盤孔が薬剤４０の後面に吸着し、薬剤４０が下眼瞼装着部７４に装着される。
【０３８７】
〔２層構造：１、２層両装着構成〕
この構成は、眼球に装着可能な眼用器具（１層目）と、眼用装着物（２層目）と、眼用器具及び眼用装着物を装着する吸盤構造その他の装着手段とを備え、眼用装着物を眼用器具に装着する構成である。眼用器具の装着手段及び眼用装着物の装着手段がそれぞれ相手に装着する構成（〔２層構造：２層目内装着構成〕及び〔２層構造：１層目外装着構成〕）のほか、眼用器具の装着手段及び眼用装着物の装着手段が雄及び雌のように対応して装着する構成が含まれる。
【０３８８】
〔３層構造：２層目両装着構成〕
この構成は、眼球に装着可能な眼用器具（１層目）と、眼用装着物（３層目）と、眼用器具及び眼用装着物に装着する吸盤構造その他の装着手段を有する眼用アダプタ（２層目）とを備え、眼用アダプタを介して眼用装着物を眼用器具に装着する構成である。例えば、図２７の変形例を採用することができる。
【０３８９】
図２７の変形例は、眼用アダプタ５０の前面及び後面に吸盤構造を設けた構成である。
図２７は、薬剤４０、眼用アダプタ５０及び上眼瞼装着部７２の縦断面図である。
【０３９０】
薬剤４０は、図２７に示すように、扁平円板状に形成されている。薬剤４０は、眼用アダプタ５０を介して薬剤供給補助具１０に装着される。眼用アダプタ５０の前面には吸盤孔５０ａが、後面には吸盤孔５０ｂがそれぞれ形成されている。吸盤孔５０ａは、薬剤４０よりもやや小径で吸盤構造となっている。吸盤孔５０ｂは吸盤構造となっている。これにより、薬剤４０の後面を眼用アダプタ５０の前面に押し当てると、吸盤孔５０ａの吸盤室内が陰圧となって吸盤孔５０ａが薬剤４０の後面に吸着し、薬剤４０が眼用アダプタ５０に装着される。次に、眼用アダプタ５０の後面を上眼瞼装着部７２の前面に押し当てると、吸盤孔５０ｂの吸盤室内が陰圧となって吸盤孔５０ｂが上眼瞼装着部７２の前面に吸着し、眼用アダプタ５０を介して薬剤４０が上眼瞼装着部７２に装着される。
【０３９１】
下眼瞼装着部７４についても同様である。薬剤４０の後面を眼用アダプタ５０の前面に押し当てると、吸盤孔５０ａの吸盤室内が陰圧となって吸盤孔５０ａが薬剤４０の後面に吸着し、薬剤４０が眼用アダプタ５０に装着される。次に、眼用アダプタ５０の後面を下眼瞼装着部７４の前面に押し当てると、吸盤孔５０ｂの吸盤室内が陰圧となって吸盤孔５０ｂが下眼瞼装着部７４の前面に吸着し、眼用アダプタ５０を介して薬剤４０が下眼瞼装着部７４に装着される。
【０３９２】
〔３層構造：２層目内装着構成〕
この構成は、眼球に装着可能な眼用器具（１層目）と、眼用装着物（３層目）と、眼用器具に装着する吸盤構造その他の装着手段を有する眼用アダプタ（２層目）とを備え、眼用アダプタを介して眼用装着物を眼用器具に装着する構成である。眼用アダプタ及び眼用装着物は吸着以外の方法で接合する。ここで、眼用アダプタ及び眼用器具の関係は〔２層構造：２層目内装着構成〕と同じである。例えば、図２８の変形例を採用することができる。
【０３９３】
図２８の変形例は、眼用アダプタ５０の後面に吸盤構造を設けた構成である。
図２８は、薬剤４０、眼用アダプタ５０及び上眼瞼装着部７２の縦断面図である。
【０３９４】
図２７の変形例では、眼用アダプタ５０の前面に吸盤孔５０ａを形成したが、図２８の変形例では、吸盤孔５０ａを形成せず、薬剤４０の後面と眼用アダプタ５０の前面を接着等により接合する。その他、薬剤４０を表面張力により眼用アダプタ５０の前面に取り付けてもよい。
【０３９５】
〔３層構造：２層目外装着構成〕
この構成は、眼球に装着可能な眼用器具（１層目）と、眼用装着物（３層目）と、眼用装着物に装着する吸盤構造その他の装着手段を有する眼用アダプタ（２層目）とを備え、眼用アダプタを介して眼用装着物を眼用器具に装着する構成である。眼用アダプタ及び眼用器具は吸着以外の方法で接合する。ここで、眼用アダプタ及び眼用装着物の関係は〔２層構造：１層目外装着構成〕と同じである。例えば、図２７の変形例では、眼用アダプタ５０の後面に吸盤孔５０ｂを形成したが、吸盤孔５０ｂを形成せず、眼用アダプタ５０の後面と上眼瞼装着部７２の前面を接着等により接合する。その他、眼用アダプタ５０を表面張力により上眼瞼装着部７２の前面に取り付けてもよい。
【０３９６】
〔前後方向外装着構成〕
この構成は、水平方向、上下方向その他前後方向以外の方向に眼用装着物同士を装着し、装着した複数の眼用装着物を眼用器具又は眼球に装着する構成である。
【０３９７】
また、上記第１乃至第１２の実施の形態及びその変形例においては、流路１７ａ〜１７ｈの形状等を例示したが、これに限らず、流路は、任意の数、任意の大きさ（長さ、太さ及び深さを含む。）、任意の形状、任意の経路で、任意の箇所に構成することができる。例えば、複数の流路をアレイ状に形成することもできる。また、流路は、薬剤供給補助具１０の厚さ方向に複数形成することもでき、例えば、前面を開口とする第１流路と、後面を開口とする第２流路とを厚さ方向に対向して形成することができる。また、流路は、図２９に示すように、前後方向に貫通する領域（例えば、貫通孔）として形成することもでき、前面を開口とする凹部（一部又は全部が底となる場合を含む。以下、同様である。）又は後面を開口とする凹部（以下これらを総称して「凹部」という。）として形成することもでき、図３０に示すように、薬剤供給補助具１０の面方向に貫通する領域（例えば、貫通孔）として形成することもできる。流路の経路の形状としては、三叉状、十字状、交差状、環状、波形状、曲線形状、流線形状、直線形状、その他の幾何学形状に形成することができる。また、流路の深さ方向が薬剤供給補助具１０の径方向となるように薬剤供給補助具１０の周面に形成することもできる。また、流路は、薬剤供給補助具１０の面方向に開口させることもできる。
【０３９８】
図２９及び図３０は、上眼瞼装着部７２の拡大図であり、流路１７ａの構造を示す図である。
【０３９９】
また、上記第１乃至第１２の実施の形態及びその変形例においては、プール１９ａ〜１９ｈを形成又は区画したが、これに限らず、プールを設けず流路だけを形成することもできる。例えば、図３１の変形例を採用することができる。
【０４００】
図３１は、薬剤供給補助具１０の正面図である。
薬剤供給補助具１０の上半分には、図３１に示すように、薬剤供給補助具１０の中央と上外周との間で薬剤を案内する複数（図３１の例では５つ）の流路１７ａが形成されている。薬剤供給補助具１０の下半分には、薬剤供給補助具１０の中央と下外周との間で薬剤を案内する複数（図３１の例では５つ）の流路１７ｂが形成されている。使用者は、薬剤供給補助具１０を装着し、薬剤供給補助具１０上に点眼薬を点眼する。点眼された薬剤は、眼球の表面上で流動し、流路１７ａを通じて上眼瞼裏側に案内されるとともに流路１７ｂを通じて下眼瞼裏側に案内される。これにより、上眼瞼裏側の部位及び下眼瞼裏側の部位に薬剤を効果的に供給することができる。
【０４０１】
また、上記第１１の実施の形態及びその変形例においては、装着時に上眼瞼結膜円蓋部２６ｅ及び上辺１４ａにより区画されるプール１９ａと貫通孔１２との間で薬剤を案内する流路１７ａと、下眼瞼結膜円蓋部２６ｆ及び下辺１４ｃにより区画されるプール１９ｂと貫通孔１２との間で薬剤を案内する流路１７ｂとを形成したが、これに限らず、プール１９ａ、１９ｂの間で薬剤を案内する流路を形成することもできる。また、薬剤供給補助具１０にプール１９ｃを形成し、プール１９ａ（上眼瞼結膜円蓋部２６ｅに臨む上辺１４ａ）とプール１９ｃとの間で薬剤を案内する流路、プール１９ｂ（下眼瞼結膜円蓋部２６ｆに臨む下辺１４ｃ）とプール１９ｃとの間で薬剤を案内する流路、又はプール１９ａ〜１９ｃの間で薬剤を案内する流路を形成することもできる。
【０４０２】
また、上記第６の実施の形態及びその変形例において、薬剤供給補助具１０は、プール１９ａを上向きにして眼２０に装着したが、これに限らず、プール１９ａを下向き（上下逆）にして眼２０に装着することもできる。これにより、重力により及び瞬目の影響が少ないことにより下眼瞼側の方が上眼瞼側よりも薬剤が滞留しやすいので、下眼瞼裏側に位置するプール１９ａに薬剤が貯留されやすい。また、プール１９ａに貯留された薬剤を貫通孔１２に供給することができる。
【０４０３】
また、上記第７の実施の形態及びその変形例において、薬剤供給補助具１０は、下眼瞼内に装着したが、これに限らず、上下逆にして上眼瞼内に装着することができる。これにより、プール１９ａから角膜２４の側に又は角膜２４の側からプール１９ａに薬剤を供給することができる。また、重力等によりプール１９ａから下方の縁１２ａに薬剤が案内されるので、角膜２４の側に薬剤を供給しやすい。
【０４０４】
また、上記第７の実施の形態及びその変形例において、下縁１２ｂは、装着時に下眼瞼結膜円蓋部２６ｆに接するように設置したが、これに限らず、装着時に下眼瞼結膜円蓋部２６ｆに近接（非接触）するように設置することもでき、装着時に下眼瞼結膜円蓋部２６ｆの上方に位置するように設置することもできる。これにより、下縁１２ｂが下眼瞼結膜円蓋部２６ｆに接触して下眼瞼結膜円蓋部２６ｆへの干渉が生じる可能性又は度合いを低減することができる。
【０４０５】
また、上記第８乃至第１０の実施の形態の変形例として、次の構成を単独又は組み合わせて採用することができる。
【０４０６】
〔装着部外環部〕
この構成は、装着部１１の外縁から外側に張り出しその外縁の一部を囲うとともにプールを区画する環部を備える構成である。上記第８の実施の形態がこの構成である。
【０４０７】
〔装着部外環部：環部外環部〕
この構成は、装着部１１の外縁から外側に張り出しその外縁の一部を囲うとともにプールを区画する第１環部と、第１環部の外縁から外側に張り出しその外縁の一部を囲うとともにプールを区画する第２環部とを備える構成である。これにより、第１環部の外側にプールが区画されているので、第１環部の外側の部位に薬剤を効果的に供給することができる。
【０４０８】
また、第１環部の外縁の異なる箇所を囲う複数の第２環部を形成することもできる。これにより、複数のプールに薬剤が貯留されるので、薬剤が貯留されやすい。また、第１環部の外縁の異なる箇所に複数のプールが区画されているので、第１環部の外側の部位に薬剤をさらに効果的に供給することができる。
【０４０９】
〔装着部外環部：環部内環部〕
この構成は、装着部１１の外縁から外側に張り出しその外縁の一部を囲うとともにプールを区画する第１環部と、第１環部の内縁から内側に張り出しその内縁の一部を囲うとともにプールを区画する第２環部とを備える構成である。これにより、第１環部の内側にプールが区画されているので、第１環部の内側の部位に薬剤を効果的に供給することができる。
【０４１０】
また、第１環部の内縁の異なる箇所を囲う複数の第２環部を形成することもできる。これにより、複数のプールに薬剤が貯留されるので、薬剤が貯留されやすい。また、第１環部の内縁の異なる箇所に複数のプールが区画されているので、第１環部の内側の部位に薬剤をさらに効果的に供給することができる。
【０４１１】
〔装着部内環部〕
この構成は、貫通孔１２の縁から内側に張り出しその縁の一部を囲うとともにプールを区画する環部を備える構成である。これにより、貫通孔１２の内側の部位に薬剤を効果的に供給することができる。
【０４１２】
〔装着部内環部：環部外環部〕
この構成は、貫通孔１２の縁から内側に張り出しその縁の一部を囲うとともにプールを区画する第１環部と、第１環部の外縁から外側に張り出しその外縁の一部を囲うとともにプールを区画する第２環部とを備える構成である。これにより、第１環部の外側にプールが区画されているので、第１環部の外側の部位に薬剤を効果的に供給することができる。
【０４１３】
また、第１環部の外縁の異なる箇所を囲う複数の第２環部を形成することもできる。これにより、複数のプールに薬剤が貯留されるので、薬剤が貯留されやすい。また、第１環部の外縁の異なる箇所に複数のプールが区画されているので、第１環部の外側の部位に薬剤をさらに効果的に供給することができる。
【０４１４】
〔装着部内環部：環部内環部〕
この構成は、貫通孔１２の縁から内側に張り出しその縁の一部を囲うとともにプールを区画する第１環部と、第１環部の内縁から内側に張り出しその内縁の一部を囲うとともにプールを区画する第２環部とを備える構成である。これにより、第１環部の内側にプールが区画されているので、第１環部の内側の部位に薬剤を効果的に供給することができる。
【０４１５】
また、第１環部の内縁の異なる箇所を囲う複数の第２環部を形成することもできる。これにより、複数のプールに薬剤が貯留されるので、薬剤が貯留されやすい。また、第１環部の内縁の異なる箇所に複数のプールが区画されているので、第１環部の内側の部位に薬剤をさらに効果的に供給することができる。
【０４１６】
なお、上記各構成において、環部（第１環部及び第２環部を含む。）は、任意の数、任意の大きさ、任意の形状で、任意の箇所に形成することができる。また、２以上の環部を直列若しくは並列又はその組み合わせで形成することもできる。また、環部は、連続した経路で構成することに限定されるものではなく、例えば、経路の途中で薬剤の流路等が形成され、その部分が薄肉であったり分断されたりする構成を採用することができ、その他にも環部の経路が非連続となる任意の構成を採用することができる。
【０４１７】
また、上記第１１の実施の形態及びその変形例においては、上辺１４ａ、右辺１４ｂ、下辺１４ｃ及び左辺１４ｄの形状等を例示したが、これに限らず、薬剤供給補助具１０の縁は、任意の大きさ、任意の形状、任意の範囲で構成することができる。例えば、弓形凹部その他の窪む形状、弓形凸部その他の出っ張り形状、波形状、曲線形状、流線形状、直線形状、その他の幾何学形状などを採用することができる。左上肩１４ｅ、右上肩１４ｆ、右下肩１４ｇ及び左下肩１４ｈの大きさ、形状及び範囲についても同様である。左上肩１４ｅ、右上肩１４ｆ、右下肩１４ｇ及び左下肩１４ｈを設けなくてもよい。
【０４１８】
また、上記第１１の実施の形態及びその変形例においては、装着時に左上肩１４ｅ及び右上肩１４ｆが上眼瞼結膜円蓋部２６ｅに接するように形成したが、これに限らず、装着時に左上肩１４ｅ及び右上肩１４ｆが上眼瞼結膜円蓋部２６ｅに近接（非接触）するように形成することもできる。また、左上肩１４ｅ及び右上肩１４ｆの２点で上眼瞼結膜円蓋部２６ｅに接するに限らず、１点又は３以上の点で上眼瞼結膜円蓋部２６ｅに接するように形成することもできる。上眼瞼結膜円蓋部２６ｅとの接点は、任意の数、任意の大きさ、任意の形状で、任意の箇所に構成することができる。
【０４１９】
また、上記第１１の実施の形態及びその変形例においては、装着時に右下肩１４ｇ及び左下肩１４ｈが下眼瞼結膜円蓋部２６ｆに接するように形成したが、これに限らず、装着時に右下肩１４ｇ及び左下肩１４ｈが下眼瞼結膜円蓋部２６ｆに近接（非接触）するように形成することもできる。また、右下肩１４ｇ及び左下肩１４ｈの２点で下眼瞼結膜円蓋部２６ｆに接するに限らず、１点又は３以上の点で下眼瞼結膜円蓋部２６ｆに接するように形成することもできる。下眼瞼結膜円蓋部２６ｆとの接点は、任意の数、任意の大きさ、任意の形状で、任意の箇所に構成することができる。
【０４２０】
さらに、上記第１１の実施の形態及びその変形例においては、上辺１４ａを対象として、これを下方に弓なりに湾曲する形状に形成したが、これに限らず、装着時に上眼瞼結膜円蓋部２６ｅとプール１９ａを区画する縁であれば任意の縁を対象とすることができる。例えば、上辺を多層に形成した場合は、最下層の辺を下方に弓なりに湾曲する形状に形成することができる。
【０４２１】
さらに、上記第１１の実施の形態及びその変形例においては、下辺１４ｃを対象として、これを上方に弓なりに湾曲する形状に形成したが、これに限らず、装着時に下眼瞼結膜円蓋部２６ｆとプール１９ｂを区画する縁であれば任意の縁を対象とすることができる。例えば、下辺を多層に形成した場合は、最上層の辺を上方に弓なりに湾曲する形状に形成することができる。
【０４２２】
さらに、上記第１１の実施の形態及びその変形例においては、右辺１４ｂを対象として、これを左方に弓なりに湾曲する形状に形成したが、これに限らず、装着時に右眼角に臨む縁であれば任意の縁を対象とすることができる。例えば、右辺を多層に形成した場合は、最左層の辺を左方に弓なりに湾曲する形状に形成することができる。
【０４２３】
さらに、上記第１１の実施の形態及びその変形例においては、左辺１４ｄを対象として、これを右方に弓なりに湾曲する形状に形成したが、これに限らず、装着時に左眼角に臨む縁であれば任意の縁を対象とすることができる。例えば、左辺を多層に形成した場合は、最右層の辺を右方に弓なりに湾曲する形状に形成することができる。
【０４２４】
また、上記第１乃至第１２の実施の形態及びその変形例においては、プール１９ａ〜１９ｈの形状等を例示したが、これに限らず、プールは、任意の数、任意の大きさ、任意の形状で、任意の箇所に構成することができる。例えば、ブリッジ部を格子状に形成することにより複数のプールをアレイ状に形成することもできる。また、プールは、薬剤供給補助具１０の厚さ方向に複数形成することもでき、例えば、前面を開口とする第１プールと、後面を開口とする第２プールとを厚さ方向に対向して形成することができる。また、プールは、前後方向に貫通する領域（例えば、貫通孔）として形成することもでき、凹部として形成することもできる。他の形状として、袋状、壺状、窟状、路状、ケース状、又は薬剤を挟むサンドイッチ状に形成することもできる。また、プールの深さ方向が薬剤供給補助具１０の径方向となるように薬剤供給補助具１０の周面に形成することもできる。また、プールは、薬剤供給補助具１０の面方向に開口させることもできる。また、薬剤供給補助具１０上に点眼薬を点眼する場合、又は薬剤４０を装着する場合に限らず、薬剤供給補助具１０上（プール１９ａ〜１９ｈ上を含む。）に軟膏薬を塗布することによっても、長時間にわたる薬剤の供給を実現することができる。
【０４２５】
また、上記第１乃至第１２の実施の形態及びその変形例においては、薬剤供給補助具１０の厚さについて特に説明しなかったが、例えば、プール１９ａ〜１９ｈの径が同一であれば深いほど薬剤の貯留容量が増すので、例えば、プール１９ａ〜１９ｈの深さが２倍程度になるように薬剤供給補助具１０の厚さをこれに合わせて２倍程度に設定した構成を採用することもできる。もっとも、薬剤供給補助具１０の厚さ及びプール１９ａ〜１９ｈの深さは特に限定されるものではなく、任意の厚さ及び深さに設定することができる。
【０４２６】
また、上記第１及び第３乃至第１２の実施の形態並びにその変形例においては、上記第２の実施の形態並びにその変形例のように、１つのプールを１又は多岐のブリッジ部で複数のプールに区画することもできる。これにより、複数のプールに薬剤が貯留されるので、同一の領域を１つのプールで構成する場合に比して、薬剤の偏りが少なくなり、一部の部位に薬剤が供給されない可能性又は度合いを低減することができる。
【０４２７】
また、上記第１乃至第６及び第８乃至第１０の実施の形態並びにその変形例において、薬剤供給補助具１０は、装着時に眼瞼裏側の結膜（眼瞼結膜又は球結膜）に位置する領域を有して構成したが、これに限らず、結膜円蓋部領域（装着時に結膜円蓋部に位置する領域）を有して構成することもできる。これにより、結膜円蓋部領域に薬剤を貯留、設置等することができる。
【０４２８】
また、上記第１２の実施の形態及びその変形例においては、薬剤４０を薬剤供給補助具１０に装着した後、薬剤供給補助具１０を眼２０に装着する装着方法を説明したが、これに限らず、薬剤供給補助具１０を眼２０に装着した後、薬剤４０を薬剤供給補助具１０に装着する装着方法を採用することもできる。
【０４２９】
また、上記第１乃至第１２の実施の形態及びその変形例においては、薬剤供給補助具１０を眼球に直接装着したが、これに限らず、１又は複数の媒体（例えば、部材）を介して薬剤供給補助具１０を間接的に眼球に装着することもできる。例えば、図３２の変形例を採用することができる。
【０４３０】
図３２は、コンタクトレンズ６０の縦断面図である。
コンタクトレンズ６０は、図３２に示すように、ソフトコンタクトレンズからなる内レンズ６２と、内レンズ６２の前面に対面して配置されるソフトコンタクトレンズからなる外レンズ６４とを有して構成されている。内レンズ６２及び外レンズ６４は、ソフトコンタクトレンズとして従来周知の基本形状であり、全体として球殻形状となっている。
【０４３１】
内レンズ６２及び外レンズ６４は開閉可能に下端が接合されている。内レンズ６２と外レンズ６４の接合部６６以外は開口しており、被収容物は、この開口から挿入可能となっている。コンタクトレンズ６０は、内レンズ６２及び外レンズ６４を一体成形により製造することができる。なお、内レンズ６２及び外レンズ６４の一方又は両方には、薬剤４０の成分を通過させるための孔（貫通孔又は凹部）（以下「薬剤通過孔」という。）を形成することもできる。
【０４３２】
薬剤供給補助具１０は、内レンズ６２及び外レンズ６４と同様に全体として球殻形状となっている。具体的には、薬剤供給補助具１０の後面は、内レンズ６２の前面にフィットするように内レンズ６２の前面と同一又は近い曲率となる球面形状となっている。同様に、薬剤供給補助具１０の前面は、外レンズ６４の後面にフィットするように外レンズ６４の後面と同一又は近い曲率となる球面形状となっている。
【０４３３】
使用者は、内レンズ６２と外レンズ６４との間を開き、外レンズ６４の後面に薬剤供給補助具１０を取り付け、内レンズ６２と外レンズ６４との間を閉じる。これにより、薬剤供給補助具１０は、内レンズ６２の前面と外レンズ６４の後面との間で挟持される。そして、使用者は、薬剤供給補助具１０を挟持した状態でコンタクトレンズ６０を装着する。装用時は、薬剤４０が溶け出すと、内レンズ６２及び外レンズ６４の境界から流出し又は内レンズ６２若しくは外レンズ６４の薬剤通過孔を通過して結膜や角膜等の部位にその成分が供給される。
【０４３４】
なお、図３２の変形例は、薬剤４０を装着する場合に限定されるものではなく、薬剤供給補助具１０上に点眼薬を点眼する場合、又は薬剤供給補助具１０上（プール１９ａ〜１９ｈ上を含む。）に軟膏薬を塗布する場合についても同様に適用することができる。また、コンタクトレンズ６０は、内レンズ６２だけの構成とすることもできる。この場合、薬剤供給補助具１０は、吸着その他の装着手段により内レンズ６２の前面に装着し、内レンズ６２を介して眼球に装着する。また、コンタクトレンズ６０は、外レンズ６４だけの構成とすることもできる。この場合、薬剤供給補助具１０は、吸着その他の装着手段により外レンズ６４の後面に装着し、眼球に直接装着する。また、内レンズ６２又は外レンズ６４として、市販のコンタクトレンズを利用することもできるし、１又は複数の薬剤通過孔を形成した孔空きコンタクトレンズを利用することもできる。薬剤通過孔は、内レンズ６２及び外レンズ６４の一方又は両方に設けることができ、任意の数、任意の大きさ、任意の形状で、任意の箇所に設けることができる。
【０４３５】
また、上記第１２の実施の形態及びその変形例においては、薬剤４０の形状を例示したが、これに限らず、扁平中実円板状、シート状、直方体状、板状、棒状又はアーム状その他の幾何学形状など、任意の形状を採用することができる。
【０４３６】
また、上記第１２の実施の形態及びその変形例においては、薬剤４０の数、大きさ、形状及び装着位置を例示したが、これに限らず、薬剤４０は、任意の数、任意の大きさ、任意の形状で、任意の箇所に装着することができる。例えば、プール１９ａ〜１９ｈに薬剤４０を装着することもできる。この場合、プール１９ａ〜１９ｈは、薬剤４０が挿入可能な開口並びに薬剤４０を装着及び貯留可能な内空を有する孔（貫通孔又は凹部）として形成する。
【０４３７】
また、上記第１２の実施の形態及びその変形例においては、薬剤４０の後面から窪む凹型の吸盤構造としたが、これに限らず、薬剤４０の後面から突出する凸型の吸盤構造とすることもできる。すなわち、吸盤構造として凹型の吸盤構造又は凸型の吸盤構造を採用することができる。
【０４３８】
また、上記第１２の実施の形態及びその変形例においては、薬剤４０に楕円形状の吸盤孔４２を形成したが、これに限らず、吸盤孔４２は、任意の数、任意の大きさ、任意の形状で、任意の箇所に形成することができる。例えば、薬剤４０の後面全体を吸盤構造とすることができる。すなわち、吸盤構造は、任意の数、任意の大きさ、任意の形状で、任意の箇所に設けることができる。
【０４３９】
また、上記第１２の実施の形態及びその変形例においては、吸盤孔４２の材質について説明しなかったが、薬剤４０よりも溶解速度が遅い可溶性の材質で構成することができる。これにより、吸盤孔４２を薬剤４０とともに溶解させることができるとともに、薬剤４０の溶解に伴って吸盤孔４２の吸盤効果が失われる度合いを低減することができる。
【０４４０】
また、上記第１２の実施の形態及びその変形例においては、吸盤構造により薬剤４０を薬剤供給補助具１０に装着したが、これに限らず、吸盤構造以外の吸着手段により薬剤４０を装着することもでき、さらには吸着以外の装着手段により薬剤４０を装着することもできる。装着手段は任意である。吸着以外の装着手段としては、例えば、粘着、接着、表面張力による取り付け、ヒンジ構造、ねじ構造、かしめ構造、ソケット構造、インロー嵌合構造、嵌め込み構造、差し込み構造、組み付け構造、連結構造その他任意の結合構造を採用することができる。ねじ構造としては、例えば、（１）薬剤供給補助具１０及び薬剤４０を貫通する雌ねじを形成し、これに雄ねじをねじ込んで接合する構造、（２）薬剤供給補助具１０及び薬剤４０の一方に雄ねじを形成し、他方に雌ねじを形成し、一方を他方にねじ込んで接合する構造を採用することができる。嵌め込み構造としては、例えば、薬剤供給補助具１０及び薬剤４０の一方に突起を形成し、この突起を受けるための孔（貫通孔又は凹部）を他方に形成し、一方を他方に嵌め込んで接合する構造を採用することができる。差し込み構造としては、例えば、薬剤供給補助具１０及び薬剤４０の一方に、他方に差し込み可能な突起（例えば、先端を尖らせた形状等の突起）を形成し、一方を他方に差し込んで接合する構造を採用することができる。連結構造としては、例えば、継手、連結器その他の連結手段で薬剤供給補助具１０及び薬剤４０を連結する構造を採用することができる。また、結合構造として、例えば、（１）薬剤供給補助具１０及び薬剤４０を直接結合する構造、（２）１又は複数の媒体（例えば、部材）を介して薬剤供給補助具１０及び薬剤４０を間接的に結合する構造を採用することができる。また、結合構造として、例えば、（１）薬剤供給補助具１０又は薬剤４０が取り外し可能な構造を採用することもでき、（２）さらに薬剤供給補助具１０又は薬剤４０が再結合可能な構造を採用することもできる。
【０４４１】
また、上記第１２の実施の形態及びその変形例においては、薬剤供給補助具１０の前面に薬剤４０を装着したが、これに限らず、薬剤供給補助具１０の後面に薬剤４０を装着することもできる。
【０４４２】
また、上記第１２の実施の形態及びその変形例においては、薬剤４０にレンズを設けなかったが、これに限らず、薬剤４０の一部をレンズで構成することもできる。
【０４４３】
また、上記第１２の実施の形態及びその変形例においては、薬剤供給補助具１０に薬剤４０を装着したが、これに限らず、薬剤４０を装着しなくてもよい。この場合、例えば、特許文献１記載のコンタクトレンズのように、薬剤４０の成分を原料樹脂内に混入して薬剤供給補助具１０を構成することができる。また例えば、薬剤供給補助具１０に代えて、薬剤供給補助具１０と同様の形状に形成した薬剤その他の眼用装着物を用いることができる。
【０４４４】
また、上記第１の実施の形態及びその変形例においては、ブリッジ部１６ａ、１６ｂの幅（横方向の長さ）について特に説明しなかったが、例えば、図３３に示すように、ブリッジ部１６ａの幅Ｌ１を、開眼時に露出する左結膜２６ｃの横方向の長さＬ２よりも狭くし、ブリッジ部１６ｂの幅Ｌ３を、開眼時に露出する右結膜２６ｄの横方向の長さＬ４よりも狭くする構成を採用することができる。これにより、装着時にブリッジ部１６ａ、１６ｂが目立ちにくく、見た目の違和感が少ない。
【０４４５】
図３３は、ブリッジ部１６ａ、１６ｂの幅を示す図であり、眼２０の正面図である。図３３中、点線で示す最外円は結膜の外縁を示している。
【０４４６】
なお、図３３の変形例は、ブリッジ部１６ａ、１６ｂの間隔が角膜２４の直径よりも大きい構成に限定されるものではなく、ブリッジ部１６ａ、１６ｂが角膜２４、左結膜２６ｃ、右結膜２６ｄ等に位置する変形例及び他のブリッジ部１６ｃ〜１６ｆについても同様に適用することができる。ブリッジ部１６ａ〜１６ｆが角膜２４に位置する場合は、ブリッジ部１６ａ〜１６ｆが幅広の構成に比して、角膜２４への酸素透過性を向上することができる。また、上記第２乃至第１２の実施の形態及びその変形例についても同様に適用することができる。
【０４４７】
また、上記第１乃至第１２の実施の形態及びその変形例において、薬剤供給補助具１０は、ソフトコンタクトレンズと同一の材質で構成したが、これに限らず、ハードコンタクトレンズと同一の材質その他の材質で構成することもできる。例えば、薬剤その他の眼用装着物として構成することができる。
【０４４８】
また、上記第１乃至第１２の実施の形態及びその変形例において、薬剤供給補助具１０は、平面形状を全体として縦長楕円形状等に形成したが、これに限らず、円形状その他任意の形状を採用することができる。例えば、全体として非円形状に形成すれば、眼瞼や眼球の動き等により薬剤供給補助具１０が眼球の表面上で回転する可能性又は度合いを低減することができる。また、全体として縦長楕円形状に形成すれば、結膜の深部まで薬剤を供給しやすい。また、全体として横長楕円形状に形成すれば、結膜炎等の症状時に眼瞼結膜への干渉が生じる可能性又は度合いを低減することができる。このほか、薬剤供給補助具１０の全体の大きさについても任意の大きさを採用することができる。
【０４４９】
また、上記第１及び第２の実施の形態並びにその変形例において、薬剤供給補助具１０は、角膜領域を開口して構成したが、これに限らず、開口部は、任意の数、任意の大きさ、任意の形状で、任意の箇所に形成することができる。例えば、開口部は、少なくとも瞳孔領域を開口する孔として形成することもできるし、薬剤供給補助具１０の面方向に開口させることもできる。また、眼球の動き量は上下方向よりも左右方向の方が大きいので、角膜２４への干渉が生じる可能性又は度合いを低減する観点からは、開口部の幅（横方向の長さ）は開口部の高さ（縦方向の長さ）よりも大きくする構成を採用することができる。同様の観点から、眼球の上下方向の動き量は下方向よりも上方向の方が大きいので、開口部において装着時に正面を向いた角膜２４の中心に位置する基準点から上端までの長さは、同基準点から下端までの長さよりも大きくする構成を採用することができる。この２点を考慮すると、開口部は、例えば、上部が膨張する横長楕円形状（幅が高さよりも大きく、基準点から上端までの長さが下端までの長さよりも大きい形状）とする構成を採用することができる。この場合、眼瞼や眼球の動き等により薬剤供給補助具１０が眼球の表面上で回転すると、角膜２４に対する開口部の相対位置が変化してしまうので、薬剤供給補助具１０が回転する可能性又は度合いを低減する観点からは、例えば、薬剤供給補助具１０の上縁が上眼瞼結膜円蓋部に、下縁が眼瞼結膜円蓋部に位置（接触又は近接）するように薬剤供給補助具１０の大きさを設定する構成を採用することができる。また、開口部を設けない構成を採用することもできる。
【０４５０】
また、上記第３乃至第６及び第８乃至第１２の実施の形態並びにその変形例において、貫通孔１２は、角膜領域を開口する孔として形成したが、これに限らず、任意の数、任意の大きさ、任意の形状で、任意の箇所に形成することができる。例えば、貫通孔１２は、少なくとも瞳孔領域を開口する孔として形成することもできるし、薬剤供給補助具１０の面方向に開口させることもできる。また、眼球の動き量は上下方向よりも左右方向の方が大きいので、角膜２４への干渉が生じる可能性又は度合いを低減する観点からは、貫通孔１２の幅（横方向の長さ）は貫通孔１２の高さ（縦方向の長さ）よりも大きくする構成を採用することができる。同様の観点から、眼球の上下方向の動き量は下方向よりも上方向の方が大きいので、貫通孔１２において装着時に正面を向いた角膜２４の中心に位置する基準点から上端までの長さは、同基準点から下端までの長さよりも大きくする構成を採用することができる。この２点を考慮すると、貫通孔１２は、例えば、上部が膨張する横長楕円形状（幅が高さよりも大きく、基準点から上端までの長さが下端までの長さよりも大きい形状）とする構成を採用することができる。この場合、眼瞼や眼球の動き等により薬剤供給補助具１０が眼球の表面上で回転すると、角膜２４に対する貫通孔１２の相対位置が変化してしまうので、薬剤供給補助具１０が回転する可能性又は度合いを低減する観点からは、例えば、薬剤供給補助具１０の上縁が上眼瞼結膜円蓋部に、下縁が眼瞼結膜円蓋部に位置（接触又は近接）するように薬剤供給補助具１０の大きさを設定する構成を採用することができる。
【０４５１】
また、上記第３乃至第６及び第８乃至第１２の実施の形態並びにその変形例において、孔１２は貫通孔として形成したが、これに限らず、凹部として形成することもできる。薬剤の成分が薬剤供給補助具１０を拡散等により透過する場合は、必ずしも貫通している必要はないからである。また、孔１２そのものを設けなくてもよい。
【０４５２】
また、上記第１乃至第１２の実施の形態及びその変形例においては、薬剤供給補助具１０の材質について説明しなかったが、可溶性の材質で構成することができる。これにより、薬剤供給補助具１０を薬剤とともに溶解させることができる。この場合、薬剤供給補助具１０の材質として薬剤よりも溶解速度が遅い材質を採用することができる。
【０４５３】
また、上記第１２の実施の形態及びその変形例においては、薬剤４０を眼用装着物として採用したが、これに限らず、眼に装着可能な眼用装着物であれば任意の眼用装着物を採用することができる。眼用装着物としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、（５）薬剤、（６）サプリメント、（７）磁性流体、又は（８）その他の眼用装着物を採用することができる。ここで、眼用装着物が電子デバイスの場合、（１）眼に対し情報の提供を行うデバイス（例えば、投影機）、（２）眼に関する情報の収集を行うデバイス（例えば、カメラ、生体センサその他のセンサ）、（３）眼の外側に対し情報の提供を行うデバイス（例えば、ディスプレイ）、（４）眼の外側に関する情報の収集を行うデバイス（例えば、カメラ、生体センサその他のセンサ）、（５）眼に対し機能の維持、回復若しくは付与又は作用を行うデバイス（例えば、医療機器、発光素子、圧電素子、振動素子、発熱素子）、又は（６）眼の外側に対し機能の付与又は作用を行うデバイス（例えば、医療機器、発光素子、圧電素子、振動素子、発熱素子）を採用することができる。また、電子デバイスに代えて光学デバイスその他の眼用デバイスを採用する場合も、同様に上記（１）〜（６）の機能を備えるデバイスを採用することができる。また、眼用装着物がハードコンタクトレンズの場合、ハードコンタクトレンズが眼球に直接接触しにくいので装用感を向上することができる。
【０４５４】
また、上記第１乃至第１２の実施の形態及びその変形例においては、薬剤供給補助具１０を眼用器具として採用したが、これに限らず、眼に装着可能な眼用器具であれば任意の眼用器具を採用することができる。眼用器具としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、又は（５）その他の眼用器具を採用することができる。また、薬剤供給補助具１０としては、これら（１）〜（５）以外に、眼に装着可能な眼用装着物を採用することができる。眼用装着物としては、例えば、これら（１）〜（５）以外に、（６）薬剤、（７）サプリメント、（８）磁性流体、又は（９）その他の眼用装着物を採用することができる。
【０４５５】
また、上記第１乃至第１２の実施の形態及びその変形例において、薬剤供給補助具１０又は薬剤４０として電子デバイスを採用する場合は、電子デバイス又はその回路を設置する領域を、プール１９ａ〜１９ｈとともに又はプール１９ａ〜１９ｈに代えて形成することができる。また、電子デバイスの配線、電子デバイスを構成する部材又は電子デバイスの部品その他の媒体等を収容するための通路（以下「配線用通路」という。）を流路１７ａ〜１７ｈとは別に形成することもできるし、流路１７ａ〜１７ｈと兼用することもできる。配線用通路は、任意の数、任意の大きさ、任意の形状、任意の経路で、任意の箇所に構成することができる。例えば、配線用通路は、流路１７ａ〜１７ｈと同様に隘路として形成することができる。また、複数の配線用通路をアレイ状に形成することもできる。また、配線用通路は、薬剤供給補助具１０の厚さ方向に複数形成することもでき、例えば、前面を開口とする第１配線用通路と、後面を開口とする第２配線用通路とを厚さ方向に対向して形成することができる。また、配線用通路は、前後方向に貫通する領域（例えば、貫通孔）として形成することもでき、凹部として形成することもでき、薬剤供給補助具１０の面方向に貫通する領域（例えば、貫通孔）として形成することもできる。配線用通路の経路の形状としては、三叉状、十字状、交差状、環状、波形状、曲線形状、流線形状、直線形状、その他の幾何学形状に形成することができる。また、配線用通路の深さ方向が薬剤供給補助具１０の径方向となるように薬剤供給補助具１０の周面に形成することもできる。また、配線用通路は、薬剤供給補助具１０の面方向に開口させることもできる。また例えば、図３４の変形例を採用することもできる。
【０４５６】
図３４は、薬剤供給補助具１０に配線用通路を形成し、電子デバイス８０を装着する場合を説明するための図である。図３４（ｂ）中、点線で示す最外円は結膜の外縁を示している。
【０４５７】
電子デバイス８０は、図３４に示すように、プール１９ａに内嵌する本体部８１と、装着時に瞳孔に位置する瞳孔装着部８２と、本体部８１と瞳孔装着部８２を接続する配線収容部８３とを有して構成されている。瞳孔装着部８２には、画像を表示する表示素子８４が、本体部８１には、表示素子８４を制御するＩＣチップ８５が、配線収容部８３には、表示素子８４とＩＣチップ８５を電気的に接続する配線８６がそれぞれ搭載されている。
【０４５８】
薬剤供給補助具１０においてプール１９ａ及び貫通孔１２の間には、配線用通路１７ｉが形成されている。そして、本体部８１をプール１９ａに、配線収容部８３を配線用通路１７ｉにそれぞれ収容することにより、薬剤供給補助具１０に電子デバイス８０を装着する。
【０４５９】
また、上記第１２の実施の形態及びその変形例において、眼用装着物は、例えば、粒状に構成することもできる。この場合、粒状の眼用装着物を粘着シートに多数敷き詰め、粘着シートを剣山上に押しつけることにより眼用装着物に吸盤孔を形成することができる。その後、薬剤供給補助具１０の前面に粘着シートを押し当てると、吸盤孔の吸盤室内が陰圧となって吸盤孔が薬剤供給補助具１０の前面に吸着し、眼用装着物が薬剤供給補助具１０に装着される。
【０４６０】
また、上記第１乃至第１２の実施の形態及びその変形例においては、本発明に係る眼用器具を眼球の表面に装着したが、これに限らず、例えば、人工水晶体又はその機能を補完するものとして構成し、眼球内に装着することもできる。
【０４６１】
また、上記第１乃至第１２の実施の形態及びその変形例は相互に適用することができる。
【０４６２】
また、上記第１乃至第１２の実施の形態及びその変形例においては、薬剤供給補助具１０に本発明を適用したが、これに限らず、本発明の主旨を逸脱しない範囲で他の場合にも適用可能である。
【符号の説明】
【０４６３】
１０…薬剤供給補助具、  １１…装着部、  １２…貫通孔、  １２ａ…上縁、  １２ｂ…下縁、  １４ａ…上辺、  １４ｂ…右辺、  １４ｃ…下辺、  １４ｄ…左辺、  １４ｅ…左上肩、  １４ｆ…右上肩、  １４ｇ…右下肩、  １４ｈ…左下肩、  １６ａ〜１６ｆ…ブリッジ部、  １７ａ〜１７ｈ…流路、  １７ｉ…配線用通路、  １９ａ〜１９ｈ…プール、  ２０…眼、  ２２…瞳孔、  ２４…角膜、  ２６ａ…上眼瞼結膜、  ２６ｂ…下眼瞼結膜、  ２６ｃ…左結膜、  ２６ｄ…右結膜、  ２６ｅ…上眼瞼結膜円蓋部、  ２６ｆ…下眼瞼結膜円蓋部、  ４０…薬剤、  ４２、５０ａ、５０ｂ、７２ａ…吸盤孔、  ５０…眼用アダプタ、  ６０…コンタクトレンズ、  ６２…内レンズ、  ６４…外レンズ、  ６６…接合部、  ７２…上眼瞼装着部、  ７４…下眼瞼装着部、  ７６ａ〜７６ｈ…環部、  ８０…電子デバイス、  ８１…本体部、  ８２…瞳孔装着部、  ８３…配線収容部、  ８４…表示素子、  ８５…ＩＣチップ、  ８６…配線
【図１】
2019177107.tif 000003
【図２】
2019177107.tif 000004
【図３】
2019177107.tif 000005
【図４】
2019177107.tif 000006
【図５】
2019177107.tif 000007
【図６】
2019177107.tif 000008
【図７】
2019177107.tif 000009
【図８】
2019177107.tif 000010
【図９】
2019177107.tif 000011
【図１０】
2019177107.tif 000012
【図１１】
2019177107.tif 000013
【図１２】
2019177107.tif 000014
【図１３】
2019177107.tif 000015
【図１４】
2019177107.tif 000016
【図１５】
2019177107.tif 000017
【図１６】
2019177107.tif 000018
【図１７】
2019177107.tif 000019
【図１８】
2019177107.tif 000020
【図１９】
2019177107.tif 000021
【図２０】
2019177107.tif 000022
【図２１】
2019177107.tif 000023
【図２２】
2019177107.tif 000024
【図２３】
2019177107.tif 000025
【図２４】
2019177107.tif 000026
【図２５】
2019177107.tif 000027
【図２６】
2019177107.tif 000028
【図２７】
2019177107.tif 000029
【図２８】
2019177107.tif 000030
【図２９】
2019177107.tif 000031
【図３０】
2019177107.tif 000032
【図３１】
2019177107.tif 000033
【図３２】
2019177107.tif 000034
【図３３】
2019177107.tif 000035
【図３４】
2019177107.tif 000036
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
眼に装着可能な眼用器具であって、
薬剤が流入可能な開口及び当該薬剤を貯留可能な領域を有するプールと、
前記プールと所定領域との間で薬剤を案内する流路とが形成され、
前記流路は、当該眼用器具内を貫通する管状領域として形成されていることを特徴とする眼用器具。
【請求項２】
請求項１において、
前記プールは、薬剤が流入可能な開口及び当該薬剤を貯留可能な内空を有する孔であることを特徴とする眼用器具。
【請求項３】
請求項１及び２のいずれか１項において、
薬剤が流入可能な開口及び当該薬剤を貯留可能な領域を有する第２プールが形成され、
前記所定領域は、前記第２プールであることを特徴とする眼用器具。
【請求項４】
請求項３において、
前記第２プールは、前記プールの下方に位置することを特徴とする眼用器具。
【請求項５】
請求項１乃至４のいずれか１項において、
前記所定領域は、装着時に角膜に臨む当該眼用器具の外縁であることを特徴とする眼用器具。
【請求項６】
請求項１乃至４のいずれか１項において、
前記所定領域は、装着時に眼瞼結膜円蓋部に臨む当該眼用器具の外縁であることを特徴とする眼用器具。
【請求項７】
眼に装着可能な眼用装着物であって、
薬剤が流入可能な開口及び当該薬剤を貯留可能な領域を有するプールと、
前記プールと所定領域との間で薬剤を案内する流路とが形成され、
前記流路は、当該眼用装着物内を貫通する管状領域として形成されていることを特徴とする眼用装着物。